(57)【特許請求の範囲】
【請求項１】
第１のワイヤレスデバイス（１２１）および第２のワイヤレスデバイス（１２２）を含むＤｅｖｉｃｅ  ｔｏ  Ｄｅｖｉｃｅ（Ｄ２Ｄ）デバイスのペア（１２１、１２２）にアップリンク（ＵＬ）の無線リソース（４２０、６２０）を割り当てるためのネットワークノード（１１０）における方法であって、前記ネットワークノード（１１０）および前記Ｄ２Ｄペア（１２１、１２２）はワイヤレス通信ネットワーク（１００）内に含まれており、
前記Ｄ２Ｄデバイスのペア（１２１、１２２）に対して共通のダウンリンク（ＤＬ）の制御シグナリングメッセージを割り振る（２０１）ことと、
前記第１のワイヤレスデバイス１２１に割り当てられる前記ＵＬ無線リソース（３２１、４２１、５２１、６２２１、６２３１、７２１１、７２２１、７２３１、８２１１、８２２１、８２３１、９２１１、９２２１、９２３１）が、前記第２のワイヤレスデバイス（１２２）に割り当てられる前記ＵＬ無線リソース（３２２、４２２、５２２、６２２２、６２３２、７２１２、７２２３、７２３３、８２１３、８２２３、８２３３、９２１３、９２２３、９２３３）から隔てられるように、前記第１のワイヤレスデバイス（１２１）に割り当てられる前記ＵＬ無線リソースと、前記第２のワイヤレスデバイス（１２２）に割り当てられる前記ＵＬ無線リソースとの間に、時間オフセット、周波数オフセット、および符号分割多重オフセットの１つまたは複数を適用することにより、ＵＬ無線リソース（３２０、４２０、５２０、６２０、７２０、８２０、９２０）を前記第１のワイヤレスデバイス（１２１）および前記第２のワイヤレスデバイス（１２２）に割り当てる（２０３）こととを含み、
ＵＬ無線リソース（３２０、４２０、５２０、６２０、７２０、８２０、９２０）を割り当てる（２０３）ことは、前記共通のＤＬの制御シグナリングメッセージに基づいており、
前記ワイヤレス通信ネットワーク（１００）が、ＤＬ無線リソース（３１０、４１０、５１０、６１０、７１０、８１０、９１０）を備え、
前記ＤＬ無線リソース（３１０、４１０、５１０、６１０、７１０、８１０、９１０）は、いくつかのＤＬ無線リソース単位（３１１、３１２、４１１、４１２、５１１、５１２、６１１、７１１、７１２、８１１〜８１４、９１１〜９１８）を含み、
前記ＵＬ無線リソース（３２０、４２０、５２０、６２０、７２０、８２０、９２０）は、いくつかのＵＬ無線リソース単位（３２１、３２２、４２１、４２２、５２１〜５２４、６２１１、６２２１、６２２２、６２３１〜６２３３、７２１１、７２１２、７２２１〜７２２４、７２３１〜７２３４、８２１１〜８２１４、８２２１〜８２２４、８２３１〜８２３４、９２１１〜９２１４、９２２１〜９２２４、９２３１〜９２３４）を含み、
前記方法は、
前記共通のＤＬの制御シグナリングメッセージについて、前記Ｄ２Ｄデバイス（１２１、１２２）にＤＬ無線リソース（３１０、４１０、５１０、６１０、７１０、８１０、９１０）を割り当てる（２０２）ことを含み、
前記ＵＬ無線リソース（３２０、４２０、５２０、６２０、７２０、８２０、９２０）を割り当てること（２０３）は、ＤＬ無線リソース（３１０、４１０、５１０、６１０、７１０、８１０、９１０）を割り当てる（２０２）ことに基づいており、
ａ）ＵＬ無線リソース（６２３１〜６２３３、７２２１〜７２３４、８２１１〜８２３４、９２１１〜９２３４）の数が２より多く、いくつかのＵＬ無線リソース単位（７２２２、７２２４、７２３２、７２３４、８２１２、８２１４、８２２２、８２２４、８２３２、８２３４、９２１２、９２１４、９２２２、９２２４、９２３２、９２３４）が前記第１のワイヤレスデバイス（１２１）および前記第２のワイヤレスデバイス（１２２）のどちらにも割り当てられない場合に、各割り当てられないＵＬ無線リソース単位（７２２２、７２２４、７２３２、７２３４、８２１２、８２１４、８２２２、８２２４、８２３２、８２３４、９２１２、９２１４、９２２２、９２２４、９２３２、９２３４）の割り当てを禁止する（２０４）ようにし、
ｂ）前記ＤＬ無線リソース単位（４１１、４１２）各々に、前記ＵＬ無線リソース単位（４２１、４２２）の１つが割り当てられるように設定され、
前記時間オフセット、周波数オフセット、および符号分割多重オフセットの１つまたは複数が、第２のＤＬチャネルリソースに基づくオフセットであり、
前記Ｄ２Ｄデバイス（１２１、１２２）にＤＬ無線リソース（４１０）を割り当てること（２０２）は、前記共通のＤＬの制御シグナリングメッセージに関連付けられた１つのＤＬ無線リソース単位（４１１）を割り当てることを含み、前記１つのＤＬ無線リソース単位（４１１）に、前記共通のＤＬの制御シグナリングメッセージに関連付けられた１つのＵＬ無線リソース単位（４２１）が割り当てられるように設定され、
前記第２のＤＬチャネルリソースに基づくオフセットを適用することによってＵＬ無線リソース（４２０）を割り当てる（２０３）ことはさらに、１つの追加的なＵＬ無線リソース単位（４２２）を前記Ｄ２Ｄペア（１２１、１２２）に割り当てることを含み、前記１つの追加的なＵＬ無線リソース単位（４２２）は、１つの追加的なＤＬ無線リソース単位（４１２）に割り当てられるように設定され、
ＵＬ無線リソース（４２０）を割り当てること（２０３）はさらに、前記１つのＵＬ無線リソース単位（４２１）を前記第１のワイヤレスデバイス（１２１）に割り当て、前記１つの追加的なＵＬ無線リソース単位（４２２）を前記第２のワイヤレスデバイス（１２２）に割り当てることを含む場合に、前記追加的なＤＬ無線リソース単位（４１２）の割り当てを禁止する（２０５）ようにして、
上記（ａ）又は（ｂ）により、各割り当てられないＵＬ無線リソース単位（７２２２、７２２４、７２３２、７２３４、８２１２、８２１４、８２２２、８２２４、８２３２、８２３４、９２１２、９２１４、９２２２、９２２４、９２３２、９２３４）又は追加的なＤＬ無線リソースユニット（４１２）の割り当てを禁止する（２０４）、
方法。
【請求項２】
前記Ｄ２Ｄデバイスのペア（１２１、１２２）に対して共通のＤＬ識別子を割り振る（２００）ことをさらに含む、請求項１に記載の方法。
【請求項３】
前記時間オフセット、周波数オフセット、および符号分割多重オフセットの１つまたは複数が、第１のＤＬチャネルリソースに基づくオフセットであり、
前記Ｄ２Ｄデバイス（１２１、１２２）にＤＬ無線リソース（３１０、７１０、８１０、９１０）を割り当てること（２０２）は、前記共通のＤＬの制御シグナリングメッセージに関連付けられた偶数個のＤＬ無線リソース単位（３１１、３１２、７１１、７１２、８１１〜８１４、９１１〜９１８）を割り当てることを含み、前記偶数個のＤＬ無線リソース単位（３１１、３１２、７１１、７１２、８１１〜８１４、９１１〜９１８）に、前記共通のＤＬの制御シグナリングメッセージに関連付けられた偶数個のＵＬ無線リソース単位（３２１、３２２、７２１１、７２１２、７２２１〜７２２４、７２３１〜７２３４、８２１１〜８２１４、８２２１〜８２２４、８２３１〜８２３４、９２１１〜９２１４、９２２１〜９２２４、９２３１〜９２３４）が割り当てられるように設定され、
前記第１のＤＬチャネルリソースに基づくオフセットを適用することによってＵＬ無線リソース（３２０、７２０、８２０、９２０）を割り当てること（２０３）はさらに、前記偶数個のＵＬ無線リソース単位の前半にある１つのＵＬ無線リソース単位（３２１、７２１１、７２２１、７２３１、８２１１、８２２１、８２３１、９２１１、９２２１、９２３１）を前記第１のワイヤレスデバイス（１２１）に割り当て、前記偶数個のＵＬ無線リソース単位の後半にある１つのＵＬ無線リソース単位（３２２、７２１２、７２２３、７２３３、８２１３、８２２３、８２３３、９２１３、９２２３、９２３３）を前記第２のワイヤレスデバイス（１２２）に割り当てることを含む、
請求項１又は２に記載の方法。
【請求項４】
前記第１のＤＬチャネルリソースに基づくオフセットを適用することによってＵＬ無線リソース（７２０、８２０、９２０）を割り当てること（２０３）はさらに、前記第１のワイヤレスデバイス（１２１）と前記第２のワイヤレスデバイス（１２２）が、前記偶数個のＵＬ無線リソース単位の前記前半にあるすべての前記割り当てられないＵＬ無線リソース単位（７２２２、７２２４、７２３２、７２３４、８２１２、８２１４、８２２２、８２２４、８２３２、８２３４、９２１２、９２１４、９２２２、９２２４、９２３２、９２３４）によって隔てられるように、前記第１のワイヤレスデバイス（１２１）および前記第２のワイヤレスデバイス（１２２）を割り当てることを含む、請求項３に記載の方法。
【請求項５】
前記偶数個のＤＬ無線リソース単位の数が、２、４、または８のうちの１つである、請求項３又は４に記載の方法。
【請求項６】
前記第１および第２のＤＬチャネルリソースに基づくオフセットの少なくとも一方が、物理ダウンリンク制御チャネル（ＰＤＣＣＨ）の制御チャネルエレメント（ＣＣＥ）に基づくオフセットである、請求項３から５のいずれか一項に記載の方法。
【請求項７】
前記ＤＬ無線リソース単位６１１の各々に３つのＵＬ無線リソース単位（６２３１〜６２３３）が割り当てられるように設定され、
前記時間オフセット、周波数オフセット、および符号分割多重オフセットの１つまたは複数が、第２のＵＬチャネルシフトに基づくオフセットであり、
ＤＬ無線リソース（６１０）を割り当てること（２０２）が、前記共通のＤＬの制御シグナリングメッセージに関連付けられた１つのＤＬ無線リソース単位（６１１）を前記Ｄ２Ｄペア（１２１、１２２）に割り当てることを含み、
前記第２のＵＬチャネルシフトに基づくオフセットを適用することによってＵＬ無線リソース（６２０）を割り当てること（２０３）がさらに、第１のＵＬ無線リソース単位（６２３１）を前記第１のワイヤレスデバイス（１２１）に割り当て、第２のＵＬ無線リソース単位（６２３２）を前記第２のワイヤレスデバイス（１２２）に割り当て、前記第３のＵＬ無線リソース単位（６２３３）の割り当てを禁止する（２０４）ことを含む、請求項１又は２に記載の方法。
【請求項８】
前記第１および第２のＵＬチャネルシフトに基づくオフセットの少なくとも一方が、デルタ物理アップリンク制御チャネル（ＰＵＣＣＨ）シフトに基づくオフセットである、請求項７に記載の方法。
【請求項９】
前記ＵＬ無線リソース（３２０、４２０、５２０、６２０、７２０、８２０、９２０）が２つの別個のリソースｘおよびｙを含み、ＵＬ無線リソース（３２０、４２０、５２０、６２０、７２０、８２０、９２０）を割り当てること（２０３）が、暗黙的な方式、または個別のシグナリングに従ってリソースｘおよびリソースｙを割り当てることを含み、
前記暗黙的な方式は、ＵＬ無線リソースの割り当て（２０３）が行われる時に、前記第２のワイヤレスデバイス（１２２）から前記第１のワイヤレスデバイス（１２１）を区別する特徴に基づく、請求項１から８のいずれか一項に記載の方法。
【請求項１０】
前記ＵＬ無線リソース（３２０、４２０、５２０、６２０、７２０、８２０、９２０）が肯定応答／否定応答（ＡＣＫ／ＮＡＣＫ）のフィードバックを含む、請求項１から９のいずれか一項に記載の方法。
【請求項１１】
前記ＵＬ無線リソース（３２０、４２０、５２０、６２０、７２０、８２０、９２０）がＰＵＣＣＨのリソースを含み、前記ＰＵＣＣＨは、前記Ｄ２Ｄデバイス（１２１、１２２）の一方に送信されたシグナリングに応答したＮＡＣＫを含み、前記方法がさらに、
前記第１のワイヤレスデバイス（１２１）および前記第２のワイヤレスデバイス（１２２）のうち前記ＮＡＣＫを送信してきたワイヤレスデバイスに個別のセルラー識別子を割り振る（２０６）ことと、
前記第１のワイヤレスデバイス（１２１）および前記第２のワイヤレスデバイス（１２２）のうち前記ＮＡＣＫを送信してきた前記ワイヤレスデバイスに前記シグナリングを再送信する（２０７）ことと
を含む請求項１から１０のいずれか一項に記載の方法。
【請求項１２】
ＤＬ無線リソース単位が制御チャネルエレメントであり、ＵＬ無線リソース単位がリソースブロックである、請求項１から１１のいずれか一項に記載の方法。
【請求項１３】
第１のワイヤレスデバイス（１２１）および第２のワイヤレスデバイス（１２２）を含むＤｅｖｉｃｅ  ｔｏ  Ｄｅｖｉｃｅ（Ｄ２Ｄ）デバイスのペア（１２１、１２２）にアップリンク（ＵＬ）の無線リソース（４２０、６２０）を割り当てるネットワークノード（１１０）であって、前記ネットワークノード（１１０）および前記Ｄ２Ｄペア（１２１、１２２）はワイヤレス通信ネットワーク１００内に含まれており、前記ネットワークノード（１１０）は、
前記Ｄ２Ｄデバイスのペア（１２１、１２２）に対して共通のダウンリンク（ＤＬ）の制御シグナリングメッセージを割り振るように設定された割り振り回路（１１０１）と、
前記第１のワイヤレスデバイス１２１に割り当てられる前記ＵＬ無線リソース（３２１、４２１、５２１、６２２１、６２３１、７２１１、７２２１、７２３１、８２１１、８２２１、８２３１、９２１１、９２２１、９２３１）が、前記第２のワイヤレスデバイス（１２２）に割り当てられる前記ＵＬ無線リソース（３２２、４２２、５２２、６２２２、６２３２、７２１２、７２２３、７２３３、８２１３、８２２３、８２３３、９２１３、９２２３、９２３３）から隔てられるように、前記第１のワイヤレスデバイス（１２１）に割り当てられる前記ＵＬ無線リソースと、前記第２のワイヤレスデバイス（１２２）に割り当てられる前記ＵＬ無線リソースとの間に、時間オフセット、周波数オフセット、および符号分割多重オフセットの１つまたは複数を適用することにより、ＵＬ無線リソース（４２０、５２０、６２０、７２０、８２０、９２０）を前記第１のワイヤレスデバイス（１２１）および前記第２のワイヤレスデバイス（１２２）に割り当てるように設定された割り当て回路（１１０２）とを備え、
ＵＬ無線リソース（３２０、４２０、５２０、６２０、７２０、８２０、９２０）を割り当てることは、前記共通のＤＬの制御シグナリングメッセージに基づいており、
前記ワイヤレス通信ネットワーク（１００）が、ＤＬ無線リソース（３１０、４１０、５１０、６１０、７１０、８１０、９１０）を備え、
前記ＤＬ無線リソース（３１０、４１０、５１０、６１０、７１０、８１０、９１０）は、いくつかのＤＬ無線リソース単位（３１１、３１２、４１１、４１２、５１１、５１２、６１１、７１１、７１２、８１１〜８１４、９１１〜９１８）を含み、
前記ＵＬ無線リソース（３２０、４２０、５２０、６２０、７２０、８２０、９２０）は、いくつかのＵＬ無線リソース単位（３２１、３２２、４２１、４２２、５２１〜５２４、６２１１、６２２１、６２２２、６２３１〜６２３３、７２１１、７２１２、７２２１〜７２２４、７２３１〜７２３４、８２１１〜８２１４、８２２１〜８２２４、８２３１〜８２３４、９２１１〜９２１４、９２２１〜９２２４、９２３１〜９２３４）を含み、
前記ネットワークノード（１１０）がさらに、
前記共通のＤＬの制御シグナリングメッセージについて、前記Ｄ２Ｄデバイス（１２１、１２２）にＤＬ無線リソース（３１０、４１０、５１０、６１０、７１０、８１０、９１０）を割り当てるように設定された割り当て回路（１１０２）を備え、
前記ＵＬ無線リソース（３２０、４２０、５２０、６２０、７２０、８２０、９２０）を割り当てることは、ＤＬ無線リソース（３１０、４１０、５１０、６１０、７１０、８１０、９１０）を割り当てることに基づいており、
前記ネットワークノード（１１０）がさらに、
各割り当てられないＵＬ無線リソース単位（７２２２、７２２４、７２３２、７２３４、８２１２、８２１４、８２２２、８２２４、８２３２、８２３４、９２１２、９２１４、９２２２、９２２４、９２３２、９２３４）又は追加的なＤＬ無線リソース単位（４１２）の割り当てを禁止するように設定された禁止回路（１１０３）を備え、
ａ）ＵＬ無線リソース（７２２１〜７２３４、８２１１〜８２３４、９２１１〜９２３４）の数が２より多く、いくつかのＵＬ無線リソース単位（７２２２、７２２４、７２３２、７２３４、８２１２、８２１４、８２２２、８２２４、８２３２、８２３４、９２１２、９２１４、９２２２、９２２４、９２３２、９２３４）が前記第１のワイヤレスデバイス（１２１）および前記第２のワイヤレスデバイス（１２２）のどちらにも割り当てられない場合に、前記禁止回路（１１０３）は、偶数個のＵＬ無線リソース単位の前半および後半各々にある各割り当てられないＵＬ無線リソース単位（７２２２、７２２４、７２３２、７２３４、８２１２、８２１４、８２２２、８２２４、８２３２、８２３４、９２１２、９２１４、９２２２、９２２４、９２３２、９２３４）の割り当てを禁止するように設定されており、
ｂ）前記割り当て回路（１１０２）が、ＵＬ無線リソース単位（４２１、４２２）の一つを前記ＤＬ無線リソース単位（４１１、４１２）の各々に割り当てるように設定されており、
前記時間オフセット、周波数オフセット、および符号分割多重オフセットの１つまたは複数が、第２のＤＬチャネルリソースに基づくオフセットであり、
前記Ｄ２Ｄデバイス（１２１、１２２）にＤＬ無線リソース（４１０）を割り当てることが、前記共通のＤＬの制御シグナリングメッセージに関連付けられた１つのＤＬ無線リソース単位（４１１）を割り当てることを含み、前記１つのＤＬ無線リソース単位（４１１）に、前記共通のＤＬの制御シグナリングメッセージに関連付けられた１つのＵＬ無線リソース単位（４２１）が割り当てられるように設定され、
前記第２のＤＬチャネルリソースに基づくオフセットを適用することによってＵＬ無線リソース（４２０）を割り当てることがさらに、一つの追加的なＵＬ無線リソース単位（４２２）を前記Ｄ２Ｄペア（１２１、１２２）に割り当てることを含み、前記一つの追加的なＵＬ無線リソースユニット（４２２）は一つの追加的なＤＬ無線リソースユニット（４１２）に割り当てられるように設定されており、
ＵＬ無線リソース（４２０）を割り当てる（２０３）ことはさらに、前記１つのＵＬ無線リソース単位（４２１）を前記第１のワイヤレスデバイス（１２１）に割り当て、前記１つの追加的なＵＬ無線リソース単位（４２２）を前記第２のワイヤレスデバイス（１２２）に割り当てることを含む場合に、前記禁止回路（１１０３）が、前記追加的なＤＬ無線リソース単位（４１２）の割り当てを禁止するように設定されている、
ネットワークノード（１１０）。
【請求項１４】
前記割り振り回路（１１０１）がさらに、前記Ｄ２Ｄデバイスのペア（１２１、１２２）に対して共通のＤＬ識別子を割り振るように設定される請求項１３に記載のネットワークノード（１１０）。
【請求項１５】
前記時間オフセット、周波数オフセット、および符号分割多重オフセットの１つまたは複数が、第１のＤＬチャネルリソースに基づくオフセットであり、
前記Ｄ２Ｄデバイス（１２１、１２２）にＤＬ無線リソース（３１０、７１０、８１０、９１０）を割り当てることは、前記共通のＤＬの制御シグナリングメッセージに関連付けられた偶数個のＤＬ無線リソース単位（３１１、３１２、７１１、７１２、８１１〜８１４、９１１〜９１８）を割り当てることを含み、前記偶数個のＤＬ無線リソース単位（３１１、３１２、７１１、７１２、８１１〜８１４、９１１〜９１８）に、前記共通のＤＬの制御シグナリングメッセージに関連付けられた偶数個のＵＬ無線リソース単位（３２１、３２２、７２１１、７２１２、７２２１〜７２２４、７２３１〜７２３４、８２１１〜８２１４、８２２１〜８２２４、８２３１〜８２３４、９２１１〜９２１４、９２２１〜９２２４、９２３１〜９２３４）が割り当てられるように設定され、
前記第１のＤＬチャネルリソースに基づくオフセットを適用することによってＵＬ無線リソース（３２０、７２０、８２０、９２０）を割り当てることはさらに、前記偶数個のＵＬ無線リソース単位の前半にある１つのＵＬ無線リソース単位（３２１、７２１１、７２２１、７２３１、８２１１、８２２１、８２３１、９２１１、９２２１、９２３１）を前記第１のワイヤレスデバイス（１２１）に割り当て、前記偶数個のＵＬ無線リソース単位の後半にある１つのＵＬ無線リソース単位（３２２、７２１２、７２２３、７２３３、８２１３、８２２３、８２３３、９２１３、９２２３、９２３３）を前記第２のワイヤレスデバイス（１２２）に割り当てることを含む、請求項１３又は１４に記載のネットワークノード（１１０）。
【請求項１６】
前記第１のＤＬチャネルリソースに基づくオフセットを適用することによってＵＬ無線リソース（７２０、８２０、９２０）を割り当てることはさらに、前記第１のワイヤレスデバイス（１２１）と前記第２のワイヤレスデバイス（１２２）が、前記偶数個のＵＬ無線リソース単位の前記前半にあるすべての前記割り当てられないＵＬ無線リソース単位（７２２２、７２２４、７２３２、７２３４、８２１２、８２１４、８２２２、８２２４、８２３２、８２３４、９２１２、９２１４、９２２２、９２２４、９２３２、９２３４）によって隔てられるように、前記第１のワイヤレスデバイス（１２１）および前記第２のワイヤレスデバイス（１２２）を割り当てることを含む、請求項１５に記載のネットワークノード（１１０）。
【請求項１７】
前記偶数個のＤＬ無線リソース単位の数が、２、４、または８のうちの１つである、請求項１５または１６に記載のネットワークノード（１１０）。
【請求項１８】
前記第１および第２のＤＬチャネルリソースに基づくオフセットの少なくとも一方が、物理ダウンリンク制御チャネル（ＰＤＣＣＨ）の制御チャネルエレメント（ＣＣＥ）に基づくオフセットである、請求項１３から１７のいずれか一項に記載のネットワークノード（１１０）。
【請求項１９】
前記割り当て回路（１１０２）がさらに、３つのＵＬ無線リソース単位（６２３１〜６２３３）を前記ＤＬ無線リソース単位（６１１）の各々に割り当てるように設定され、
前記時間オフセット、周波数オフセット、および符号分割多重オフセットの１つまたは複数が、第２のＵＬチャネルシフトに基づくオフセットであり、
ＤＬ無線リソース（６１０）を割り当てることが、前記共通のＤＬの制御シグナリングメッセージに関連付けられた１つのＤＬ無線リソース単位（６１１）を前記Ｄ２Ｄペア（１２１、１２２）に割り当てることを含み、
前記第２のＵＬチャネルシフトに基づくオフセットを適用することによってＵＬ無線リソース（６２０）を割り当てることがさらに、第１のＵＬ無線リソース単位（６２３１）を前記第１のワイヤレスデバイス（１２１）に割り当て、第２のＵＬ無線リソース単位（６２３２）を前記第２のワイヤレスデバイス（１２２）に割り当てることを含み、
前記禁止回路（１１０３）がさらに、前記第３のＵＬ無線リソース単位（６２３３）の割り当てを禁止するように設定される、請求項１３又は１４に記載のネットワークノード（１１０）。
【請求項２０】
前記第１および第２のＵＬチャネルシフトに基づくオフセットの少なくとも一方が、デルタ物理アップリンク制御チャネル（ＰＵＣＣＨ）シフトに基づくオフセットである、請求項１９に記載のネットワークノード（１１０）。
【請求項２１】
前記ＵＬ無線リソース（３２０、４２０、５２０、６２０、７２０、８２０、９２０）が２つの別個のリソースｘおよびｙを含み、ＵＬ無線リソース（３２０、４２０、５２０、６２０、７２０、８２０、９２０）を割り当てることが、暗黙的な方式または個別のシグナリングに従ってリソースｘおよびリソースｙを割り当てることを含み、前記暗黙的な方式は、ＵＬ無線リソースの割り当てが行われる時に、前記第２のワイヤレスデバイス（１２２）から前記第１のワイヤレスデバイス（１２１）を区別する特徴に基づく、請求項１３から２０のいずれか一項に記載のネットワークノード（１１０）。
【請求項２２】
前記ＵＬ無線リソース（３２０、４２０、５２０、６２０、７２０、８２０、９２０）が肯定応答／否定応答（ＡＣＫ／ＮＡＣＫ）のフィードバックを含む、請求項１３から２１のいずれか一項に記載のネットワークノード（１１０）。
【請求項２３】
前記ＵＬ無線リソース（３２０、４２０、５２０、６２０、７２０、８２０、９２０）がＰＵＣＣＨのリソースを含み、前記ＰＵＣＣＨは、前記Ｄ２Ｄデバイス（１２１、１２２）の一方に送信されたシグナリングに応答したＮＡＣＫを含み、前記ネットワークノード（１１０）がさらに、
前記第１のワイヤレスデバイス（１２１）および前記第２のワイヤレスデバイス（１２２）のうち前記ＮＡＣＫを送信してきたワイヤレスデバイスに個別のセルラー識別子を割り振るように設定された割り振り回路（１１０１）と、
前記第１のワイヤレスデバイス（１２１）および前記第２のワイヤレスデバイス（１２２）のうち前記ＮＡＣＫを送信してきた前記ワイヤレスデバイスに前記シグナリングを再送信するように設定された再送信回路（１１０４）と
を備える、請求項１３から２２のいずれか一項に記載のネットワークノード（１１０）。
【請求項２４】
ＤＬ無線リソース単位が制御チャネルエレメントであり、ＵＬ無線リソース単位がリソースブロックである、請求項１３から２３のいずれか一項に記載のネットワークノード（１１０）。
【発明の詳細な説明】
【技術分野】
【０００１】
本発明の実施形態は、ネットワークノードおよびネットワークノードにおける方法に関する。詳細には、本発明の実施形態は、アップリンク（ＵＬ）の無線リソースをＤｅｖｉｃｅ  ｔｏ  Ｄｅｖｉｃｅ（Ｄ２Ｄ）のデバイスのペアに割り当てることに関する。
【背景技術】
【０００２】
ワイヤレスデバイスなどのデバイスは、例えばユーザ機器（ＵＥ）、モバイル端末、ワイヤレス端末、および／または移動局としても知られている。デバイスは、セルラー無線システムまたはセルラーネットワークと呼ばれることもあるワイヤレス通信システム内で、ワイヤレスに通信することを可能にされる。通信は、ワイヤレス通信システム内に含まれる無線アクセスネットワーク（ＲＡＮ）およびおそらくは１つまたは複数のコアネットワークを介して、例えば、２つのデバイス間、デバイスと一般の電話機、および／またはデバイスとサーバの間で行うことができる。
【０００３】
デバイスはさらに、他の例をいくつか挙げると、モバイル電話、セルラー電話、またはワイヤレス能力を備えたラップトップと呼ばれる場合もある。この文脈におけるデバイスは、例えば、デバイスやサーバなど別のエンティティとＲＡＮを介して音声および／またはデータを通信することを可能にされた、携帯型のモバイルデバイス、ポケットに収納できるモバイルデバイス、手持ち型のモバイルデバイス、コンピュータに内蔵されたモバイルデバイス、または車載モバイルデバイス等である。
【０００４】
ワイヤレス通信システムは、セル領域に分割された地理的領域をカバーし、各セル領域は、基地局、例えば無線基地局（ＲＢＳ）によってサーブされ、無線基地局は、使用される技術および用語に応じて、例えば「ｅＮＢ」、「ｅＮｏｄｅＢ」、「ＮｏｄｅＢ」、「Ｂノード」、または「ＢＴＳ（ベーストランシーバ局）」と呼ばれることもある。基地局は、送信電力ひいてはセルサイズに基づいて、例えばマクロｅＮｏｄｅＢ、ホームｅＮｏｄｅＢ、またはピコ基地局など、異なる種別である可能性がある。セルは、基地局の敷地にある基地局によって無線のカバレッジが設けられた地理的領域である。基地局の敷地に位置する１つの基地局が、１つまたは数個のセルにサーブすることができる。さらに、各基地局は１種または数種の通信技術をサポートすることができる。基地局は、無線周波で動作するエアインターフェースを通じて、その基地局の範囲内にあるデバイスと通信することができる。
【０００５】
一部のＲＡＮでは、例えば固定回線やマイクロ波により数個の基地局を無線ネットワークコントローラ、例えばユニバーサルモバイル遠隔通信システム（ＵＭＴＳ）内の無線ネットワークコントローラ（ＲＮＣ）に接続する、かつ／または基地局同士を接続することができる。無線ネットワークコントローラは、例えばＧＳＭでは基地局コントローラ（ＢＳＣ）と呼ばれることもあり、そのコントローラに接続された複数の基地局の各種活動を管理し、連携させることができる。ＧＳＭは、Ｇｌｏｂａｌ  Ｓｙｓｔｅｍ  ｆｏｒ  Ｍｏｂｉｌｅ  Ｃｏｍｍｕｎｉｃａｔｉｏｎ（元はGroupe Special Mobile）の省略形である。
【０００６】
第３世代パートナーシッププロジェクト（３ＧＰＰ）ロングタームエボリューション（ＬＴＥ）では、基地局は、ｅＮｏｄｅＢ、さらにはｅＮＢと呼ばれることもあり、１つまたは複数のコアネットワークに直接接続することができる。
【０００７】
ＵＭＴＳは、ＧＳＭから発展した第３世代のモバイル通信システムであり、Wideband Code Division Multiple Access（ＷＣＤＭＡ）アクセス技術に基づく改良されたモバイル通信サービスを提供することを意図する。ＵＭＴＳ地上無線アクセスネットワーク（ＵＴＲＡＮ）は、基本的には、デバイス向けのWideband Code Division Multiple Accessを使用した無線アクセスネットワークである。３ＧＰＰは、ＵＴＲＡＮおよびＧＳＭに基づく無線アクセスネットワーク技術をさらに発展させることを請け負っている。
【０００８】
３ＧＰＰ  ＧＳＭ  ＥＤＧＥ無線アクセスネットワーク（ＧＥＲＡＮ）によると、デバイスはマルチスロットクラスを有し、これがアップリンク方向およびダウンリンク方向の最大転送速度を決定する。ＥＤＧＥは、Ｅｎｈａｎｃｅｄ  Ｄａｔａ  ｒａｔｅｓ  ｆｏｒ  ＧＳＭ  Ｅｖｏｌｕｔｉｏｎの省略形である。２００８年の末に３ＧＰＰロングタームエボリューション（ＬＴＥ）標準の最初の公開であるＲｅｌｅａｓｅ８が最終的に確定され、さらに後の公開も確定されている。
【０００９】
近年の３ＧＰＰ  ＬＴＥの発展により、家庭、職場、公衆のホットスポット、さらには屋外環境でローカルのインターネットプロトコル（ＩＰ）を利用したサービスにアクセスすることが容易になっている。ローカルのＩＰアクセスおよびローカルの接続性の重要な使用事例の１つは、互いの近くにあるデバイス間の直接の通信を伴い、デバイス間は通例は数十メートル未満であるが、時に互いから最大で数百メートルになる。
【００１０】
ネットワークで制御されるいわゆるＤｅｖｉｃｅ−ｔｏ−Ｄｅｖｉｃｅ（Ｄ２Ｄ）通信では、無線アクセスネットワークなどのネットワークが、互いの近くにあるワイヤレスデバイス同士が相互を発見するのを支援する。この過程をデバイスの発見と呼ぶ。そして、ワイヤレスデバイスは、基地局を介したリンクではなく、直接のリンクを確立することができ、これは、Ｄ２Ｄベアラの確立と呼ばれる。実際、２つのデバイスがセルラー基地局を介して相互と通信する時には、通信経路はアップリンクのホップおよびダウンリンクのホップを伴う。シングルホップの直接のＤ２Ｄリンクと異なり、それらのホップはどちらも関連付けられたリソースを有する。本開示の文脈では、「ダウンリンク（ＤＬ）」という表現は、基地局からワイヤレスデバイスへの送信経路について使用される。「アップリンク（ＵＬ）」という表現は、その逆方向、すなわちワイヤレスデバイスから基地局への送信経路について使用される。
【００１１】
Ｄ２Ｄリンクの確立の開始は、無線アクセスネットワーク、またはＤ２Ｄペアのワイヤレスデバイスのどちらかによって行うことができる。ネットワークによって開始されるＤ２Ｄリンクの確立では、通信を行っている２つのワイヤレスデバイスが互いの近くにあることをネットワークが認識することができる。デバイスによって開始されるＤ２Ｄリンクの確立では、Ｂｌｕｅｔｏｏｔｈ（登録商標）と同じように、ワイヤレスデバイスが、相手デバイスが近くにあること、およびＤ２Ｄリンクを確立するために必要なデバイス能力の一部を発見する。
【００１２】
ネットワークで制御されるＤ２Ｄ通信では、ネットワーク制御機能は、ａ）デバイス同士が近接していることの判定、および／またはＤ２Ｄリンクの推定を行うために２つのデバイス間で使用されるディスカバリ信号を使えるように設定すること、ｂ）Ｄ２Ｄディスカバリ信号および／またはＤ２Ｄデータチャネルおよび／またはＤ２Ｄ制御チャネルのためのリソースの割り振り、ｃ）少なくとも２つのデバイス間の情報の中継、および、ｄ）Ｄ２Ｄリンクの少なくとも２つのデバイスについての接続パラメータの設定、の少なくとも１つを行い、接続パラメータには、例えば実際の電力、最小電力、最大電力などの電力設定、符号化および変調方式、例えばトランスポートブロックサイズなどのセグメント分割の設定、暗号化／完全性保護のためのパラメータおよび／またはセキュリティ鍵、ならびにプロトコルパラメータ等がある。
【００１３】
ＬＴＥまたはEvolved Universal Terrestrial Radio Access Network（Ｅ−ＵＴＲＡＮ）における送信は直交周波数分割多重化（ＯＦＤＭ）に基づき、この多重化の形式はＯＦＤＭ時間−周波数グリッドとしてモデル化することができる。ＯＦＤＭ時間−周波数グリッドは、一方の軸が周波数値からなり、他方の軸が時間からなる。周波数軸は多数の周波数サブキャリアにさらに分割され、サブキャリア間の間隔は通例は１５ｋＨｚに相当し、一方、時間軸はＯＦＤＭシンボル間隔にさらに分割される。
【００１４】
グリッド内で、１つの物理リソースブロック（ＰＲＢまたはＲＢ）は、周波数領域の１２個の連続したサブキャリアと、時間領域の１つの時間スロット（０．５ｍｓ）とからなる伝送リソースの単位である。
【００１５】
直接の通信モード、すなわちＤ２Ｄ通信では、従来のセルラー技法を上回るいくつかの利得が得られる可能性がある。これは、Ｄ２Ｄデバイス間が、例えば基地局などのセルラーアクセスポイントを介して通信しなければならないセルラーデバイス間に比べてはるかに近接しているためである。
【００１６】
・容量の利得：第１に、Ｄ２Ｄとセルラー層との間の無線リソース、例えばＯＦＤＭ  ＲＢを再使用することができる。すなわち再使用の利得。第２に、Ｄ２Ｄリンクでは、セルラーアクセスポイントを介する２ホップのリンクと異なり、送信機地点と受信機地点の間で１回のホップを使用する。すなわちホップの利得。
【００１７】
・ピーク速度の利得：近接性と、おそらくは良好な伝搬条件のために、より高次の変調および符号化方式（ＭＣＳ）を適用することができ、その結果、達成し得る最大のデータ速度をさらに向上させることができる。すなわち近接性の利得。
【００１８】
・待ち時間の利得：デバイス同士が直接のリンクを介して通信する場合、基地局による転送が省略され、終端間の待ち時間を短縮することができる。
【００１９】
現在のＬＴＥプロトコルによると、ネットワークノードが、ワイヤレス通信ネットワーク内のワイヤレスデバイスへのシグナリングを通じて（例えば無線リソース制御（ＲＲＣ）シグナリングを通じて）、制御を行う。ＲＲＣシグナリングには、例えばシステム情報ブロック／マスター情報ブロック（ＳＩＢ／ＭＩＢ）のようなブロードキャストシグナリングと、デバイス個別のシグナリングの２種類がある。そして、ネットワーク内のワイヤレスデバイスは、シグナリングを正しく受信したことを知らせるために肯定応答（ＡＣＫ）を介して、またはシグナリングを正しく受信できなかったことを知らせるために否定応答（ＮＡＣＫ）を介して、ＨＡＲＱシグナリングを通じてネットワークノードシグナリングにフィードバックし、その結果、不適切に受信されたシグナリングの再送信を求める要求が行われる。詳細には、ワイヤレスデバイスは、アップリンク（ＵＬ）の物理アップリンク制御チャネル（ＰＵＣＣＨ）で、肯定応答／否定応答（ＡＣＫ／ＮＡＣＫ）を用いてフィードバックすることができる。ＨＡＲＱシグナリングの内容は言うまでもなく特定のワイヤレスデバイスの受信に依存するので、複数のデバイスに送られるブロードキャストシグナリングは、この種のシグナリングの搬送には適さない。それに対して、個別のシグナリングは、特定のデバイスを対象とするため、ＨＡＲＱシグナリングにより適する。
【００２０】
しかし、現在のＬＴＥプロトコルなどの現在の仕様では、Ｄ２Ｄ通信のための制御シグナリングおよびＨＡＲＱシグナリングプロセスの最適化された動作を提供しない。
Ｌｅｉ  Ｌｅｉ  ｅｔ  ａｌ．，`Ｏｐｅｒａｔｏｒ  ｃｏｎｔｒｏｌｌｅｄ  ｄｅｖｉｃｅ−ｔｏ−ｄｅｖｉｃｅ  ｃｏｍｍｕｎｉｃａｔｉｏｎｓ  ｉｎ  ＬＴＥ−ａｄｖａｎｃｅｄ  ｎｅｔｗｏｒｋｓ"，ＩＥＥＥ  ＷＩＲＥＬＥＳＳ  ＣＯＭＭＵＮＩＣＡＴＩＯＮＳ，ＩＥＥＥ  ＳＥＲＶＩＣＥ  ＣＥＮＴＥＲ，ＰＩＳＣＡＴＡＷＡＹ，ＮＪ，ＵＳ，ｖｏｌ．１９，ｎｏ．３、２０１２年６月１日，９６〜１０４頁には、ＬＴＥアドバンスドセルラーネットワークでのユーザ装置間の直接通信におけるリソースの割り当て、及びデータ送信手順が開示されている。Ｂｌｕｅｔｏｏｔｈ及びＷｉＦｉ−ｄｉｒｅｃｔ等の従来のデバイス・トゥ・デバイス通信技術とは異なり、オペレータはユーザにより良い使い心地を提供し、それに応じた利益を得るために通信プロセスを制御する。
ＵＳ２０１１／２６８００６には、クラスタに許可されるべきアップリンクリソースを決定することを含む方法が開示されている。この方法はまた、装置において、この決定に基づき、送信機識別子を含むアップリンクリソースの許可を準備することも含むことができる。この方法はさらに、クラスタの複数のクラスタノードにアップリンクリソースの許可を送信することを含むことができる。送信機識別子は、複数のクラスタノードのうちの少なくとも一つのノードを特定する。
ＵＳ２０１２／１２９５４０には、セルラーネットワークとユーザ装置ＵＥとの間に有効な接続が確立されており、それと同時にＵＥがセルラーネットワークとは別にローカルネットワーク内で有効な接続を有する場合に、セルラーネットワークとＵＥとの間で通信されるリソース割り当てメッセージ内に指標を設けることが開示されている。この指標は、リソース割り当てメッセージによって割り当てられる無線リソースがセルラーネットワークに対するものか、ローカルネットワークに対するものかを特定するのに使用される。様々な実施形態において、ローカルネットワークはＤ２Ｄネットワークであり、メッセージはＤ２Ｄネットワークに関連づけられたＣ−ＲＮＴＩに向けたものである。指標の値は、割り当てられた無線リソースをＤ２Ｄネットワークに対する割当てかセルラーネットワークに対する割当てかを特定し、ＵＥに対して割当てられているか、Ｄ２Ｄデバイスペアに対して割り当てられているか、又は両方に割り当てられているかも特定する。
ＵＳ２０１２／０８３２８３には、複数のデバイスの集団内のデバイスの位置が決定され、メモリに記憶されることが開示されている。アップリンク無線リソースは、複数のデバイスの集団内のデバイスの決定された位置に依存して、ダウンリンク無線リソースからマッピングされる。一実施形態では、アップリンク及びダウンリンク無線リソースはそれぞれ、セルラーネットワークのＰＵＣＣＨ及びＰＤＣＣＨであり、集団はＤ２Ｄネットワークである。一実施形態では、デバイスの位置は、既定のマッピングパターンからのオフセットに使用される指標ｊである。別の実施形態では、デバイスの位置はＰＤＣＣＨ上の特殊な送信フィールドに対応し、マッピングはこの特殊なフィールドのビット値に依存している。
【発明の概要】
【００２１】
したがって、本発明の実施形態の目的は、セルラー通信およびＤ２Ｄ通信を含むワイヤレス通信ネットワークにおける動作を改良する方策を提供することである。
【００２２】
本発明の実施形態の第１の態様によると、Ｄ２ＤデバイスのペアにＵＬ無線リソースを割り当てるためのネットワークノードにおける方法によって上記目的が達成される。Ｄ２Ｄデバイスのペアは、第１のワイヤレスデバイスおよび第２のワイヤレスデバイスを含む。ネットワークノードおよびＤ２Ｄペアは、ワイヤレス通信ネットワーク内に含まれる。ネットワークノードは、Ｄ２Ｄデバイスのペアに対して共通のＤＬ制御シグナリングメッセージを割り振る。次いで、ネットワークノードは、第１のワイヤレスデバイスに割り当てられるＵＬ無線リソースが、第２のワイヤレスデバイスに割り当てられるＵＬ無線リソースから隔てられるように、第１のワイヤレスデバイスおよび第２のワイヤレスデバイスにＵＬ無線リソースを割り当てる。これは、第１のワイヤレスデバイスに割り当てられるＵＬ無線リソースと、第２のワイヤレスデバイスに割り当てられるＵＬ無線リソースとの間に、時間オフセット、周波数オフセット、および符号分割多重オフセットの１つまたは複数を適用することによって行われる。ＵＬ無線リソースを割り当てることは、共通のＤＬ制御シグナリングメッセージに基づく。
【００２３】
本発明の実施形態の第２の態様によると、Ｄ２Ｄデバイスのペアにアップリンクの無線リソースを割り当てるネットワークノードによって上記目的が達成される。Ｄ２Ｄデバイスのペアは、第１のワイヤレスデバイスおよび第２のワイヤレスデバイスを含む。ネットワークノードおよびＤ２Ｄペアは、ワイヤレス通信ネットワーク内に含まれる。ネットワークノードは、Ｄ２Ｄデバイスのペアに対して共通のＤＬ制御シグナリングメッセージを割り振るように設定された割り振り回路を備える。ネットワークノードはさらに、第１のワイヤレスデバイスに割り当てられるＵＬ無線リソースが、第２のワイヤレスデバイスに割り当てられるＵＬ無線リソースから隔てられるように、第１のワイヤレスデバイスおよび第２のワイヤレスデバイスにＵＬ無線リソースを割り当てるように設定された割り当て回路を備える。これは、第１のワイヤレスデバイスに割り当てられるＵＬ無線リソースと、第２のワイヤレスデバイスに割り当てられるＵＬ無線リソースとの間に、時間オフセット、周波数オフセット、および符号分割多重オフセットの１つまたは複数を適用することによって行われ、ＵＬ無線リソースを割り当てることは、共通のＤＬ制御シグナリングメッセージに基づく。
【００２４】
ネットワークノード１１０がＤ２Ｄデバイスのペアに対して共通のＤＬ制御シグナリングメッセージを割り振るため、ダウンリンク制御情報（ＤＣＩ）や物理ダウンリンク共有チャネル（ＰＤＳＣＨ）などのＤＬ無線リソースが節減される。
【００２５】
本発明の実施形態によりＤＬ無線リソースを節減することにより、システムの容量を増し、待ち時間を短縮することによりシステムの動作が改良されるという利点が得られる。
【００２６】
また、ネットワークノード１１０が、リソースが隔てられるようにＤ２Ｄペアの各メンバにＵＬ無線リソースを割り当てるため、Ｄ２Ｄペアの２つのメンバからの同時のＵＬシグナリングの衝突が回避される。したがって、本発明の実施形態によるさらに他の利点は、セルラーＨＡＲＱシグナリングシステムとの後方互換性が維持されることである。さらに、シグナリングの干渉を低減することによりシステムの動作が改良される。
【００２７】
本発明の実施形態によるさらなる利点は、動作が改良されたシステムを提供することにより利用者の満足度が増すことである。
【００２８】
本発明の実施形態の例を添付図面を参照して詳細に説明する。
【図面の簡単な説明】
【００２９】
【図１】ワイヤレス通信システムにおける実施形態を示す概略ブロック図である。
【図２】ネットワークノードにおける方法の実施形態を示すフローチャートである。
【図３】ＵＬ無線リソースの割り当ての実施形態を説明する模式図である。
【図４】ＵＬ無線リソースの割り当ての実施形態を説明する模式図である。
【図５】ＵＬ無線リソースの割り当ての実施形態を説明する模式図である。
【図６】ＵＬ無線リソースの割り当ての実施形態を説明する模式図である。
【図７】ＵＬ無線リソースの割り当ての実施形態を説明する模式図である。
【図８】ＵＬ無線リソースの割り当ての実施形態を説明する模式図である。
【図９】ＵＬ無線リソースの割り当ての実施形態を説明する模式図である。
【図１０】ＵＬ無線リソースの割り当ての実施形態を説明する模式図である。
【図１１】ネットワークノードの実施形態を説明する概略ブロック図である。
【発明を実施するための形態】
【００３０】
本発明の実施形態の開発の一部として、まず問題を明らかにし、説明する。
【００３１】
Ｄ２Ｄネットワークでは、ネットワークノードからの制御シグナリングなど、Ｄ２Ｄペアの両方のＤ２Ｄデバイスに対して同じになる場合があるシグナリングがあり得る。実際、Ｄ２Ｄネットワークでは、上記の背景技術の項で述べたシグナリングと異なる種類の制御シグナリングが、Ｄ２Ｄペアに対する制御シグナリングに関係するメディアアクセス制御の制御エレメント（ＭＡＣ  ＣＥ）および／またはＲＲＣシグナリングに導入されている。そのような種類の制御シグナリングの例は、当該ペアの時分割複信（ＴＤＤ）設定または当該ペアのビーコン／参照信号（ＲＳ）設定である。この同じシグナリングが従来の個別の方式でＤ２ＤペアのＤ２Ｄデバイスそれぞれに送信されると、ダウンリンク制御情報（ＤＣＩ）や物理ダウンリンク共有チャネル（ＰＤＳＣＨ）などの無線リソースが浪費され、システムの全容量および待ち時間に影響を与える可能性がある。ＳＩＢ／ＭＩＢなどの一種の周期的なブロードキャスティングに依拠することも実際的でない可能性がある。これは、周期的に送信すると、ＨＡＲＱの再送信に必要とされるよりも多くのリソースを消費する可能性が高いためである。実際、周期的に送信すると、例えばワイヤレス通信ネットワークにＤ２Ｄペアが多数ある場合（将来あらゆる種類のワイヤレス通信に対応するためにそのような状況になる可能性がある）には、さらに状況が悪化する可能性がある。本発明の実施形態による重複したシグナリングを回避する方策の１つは、後により詳しく説明するように、Ｄ２Ｄペアの両Ｄ２Ｄデバイスに共通のシグナリングを送信するものである。これは、例えば、無線ネットワーク一時識別子（ＲＮＴＩ）、この場合はＤ２Ｄ−ＲＮＴＩなど、Ｄ２Ｄペアに共通の単一の識別子を使用して行うことができる。そのようにすると、両デバイスが共通のＤ２Ｄ−ＲＮＴＩでＤＣＩを復号することができ、したがってＤＣＩは１つで済む。本発明の実施形態による重複したシグナリングを回避する第２の方策は、Ｄ２Ｄペアに共通の物理ダウンリンク共有チャネル（ＰＤＳＣＨ）を使用してシグナリングを搬送するものであり、これによってもＰＤＳＣＨの浪費を回避することができる。ただし、Ｄ２Ｄペアの各Ｄ２Ｄデバイスが同時にＵＬでシグナリングを送信する場合には、その送信により干渉の問題が生じる可能性があるため、問題が生じる可能性がある。これが該当するのは、物理ダウンリンク制御チャネル（ＰＤＣＣＨ）の送信に応答した肯定応答／否定応答（ＡＣＫ／ＮＡＣＫ）のフィードバックの場合である。ＡＣＫ／ＮＡＣＫ応答の場合など、事例によっては、各デバイスが共通のシグナリングを個別に受信することに応じて、フィードバックがＤ２Ｄペアのデバイスごとに異なる可能性がある。共通のシグナリングの個別の受信がＤ２Ｄペアのデバイスごとに異なる場合、共通のフィードバック応答は可能でない。現在のシステムでは、特にＡＣＫ／ＮＡＣＫ応答の場合、ＰＤＳＣＨシグナリングは同じＤＣＩによってスケジュールされるので、ＡＣＫ／ＮＡＣＫ応答を搬送するＰＵＣＣＨのリソース割り当てはＤＣＩのリソースの場所に基づいて計算される。それにより、同時に発生する可能性のある２つのデバイスのＡＣＫ／ＮＡＣＫ応答に起���する干渉が生じる可能性がある。実際、このことが理由となって、現在ＳＩＢ／ＭＩＢにはＡＣＫ／ＮＡＣＫのフィードバックがサポートされていない。何故ならば、ＳＩＢ／ＭＩＢは現在サービングセル内のすべてのワイヤレスデバイスへのブロードキャストに使用されており、そのため、受信側のワイヤレスデバイスの種々の品質とステータスを考慮すると、再送信するか否かを決定することが難しいためである。上記のように、この問題は、１回の共通のＤＬシグナリングに応答してＤ２Ｄペアのメンバから送信されるどの種の同時のシグナリングにも該当する可能性がある。
【００３２】
現在の仕様では、この共通の識別子すなわちＤ２Ｄ−ＲＮＴＩを使用してＤ２Ｄペアへの共通のＤＬシグナリングのＤＣＩおよびＰＤＳＣＨを節減することを検討しておらず、また、ＡＣＫ／ＮＡＣＫフィードバックで起こるようなＤ２Ｄの送信と受信の間で生じるＵＬの干渉の問題も考慮していない。
【００３３】
したがって、以下に記載する実施形態はこの問題を克服することを目的とし、無線リソースの使用を最少に抑え、また干渉の課題を回避しながら、ＡＣＫ／ＮＡＣＫフィードバックの場合などにＤ２Ｄデバイスのペアの各個別のデバイスからの同時のＵＬ送信がサポートされるようにＤ２Ｄ制御シグナリングを管理する方法を提供する。
【００３４】
図１は、本発明の実施形態を実施することが可能なワイヤレス通信ネットワーク１００を示す。ワイヤレス通信ネットワーク１００は、ＬＴＥ、Wideband Code Division Multiple Access（ＷＣＤＭＡ）、Global System for Mobile Communications（ＧＳＭ）ネットワーク、任意の３ＧＰＰセルラーネットワーク、任意の３ＧＰＰ２セルラーネットワーク、Worldwide Interoperability for Microwave Access（Worldwide Interoperability for Microwave Access：ＷｉＭＡＸ）ネットワーク、ＷｉＦｉ（登録商標）ネットワーク、または、ワイヤレスネットワークもしくはシステムなどのワイヤレス通信ネットワークである。
【００３５】
ワイヤレス通信ネットワーク１００は、セルラーネットワークおよびＤ２Ｄネットワークを含む。
【００３６】
ワイヤレス通信ネットワーク１００ネットワークノード１１０を含む。ネットワークノード１１０は、例えばｅＮＢ、ｅＮｏｄｅＢ、またはホームＮｏｄｅＢ、ホームｅＮｏｄｅＢ、フェムト基地局（ＢＳ）、ピコＢＳなどの基地局、または、混合ワイヤレス通信ネットワーク１００内のデバイスまたはマシンタイプ通信デバイスにサーブすることが可能な他のネットワーク装置である。一部の特定の実施形態では、ネットワークノード１１０は、固定された中継ノード、モバイル中継ノード、またはユーザ機器などのデバイスである。混合ワイヤレス通信ネットワーク１００は、セル領域に分割された地理的領域をカバーし、各セル領域は１つのネットワークノードによってサーブされるが、１つのネットワークノードは１つまたは数個のセルにサーブすることができる。ネットワークノード１１０が基地局である図１に示す例では、ネットワークノード１１０は１つのセル１１５にサーブする。ネットワークノード１１０は、送信電力ひいてはセルサイズに基づいて、例えばマクロｅＮｏｄｅＢ、ホームｅＮｏｄｅＢ、またはピコ基地局など、異なる種別である可能性がある。通例、ワイヤレス通信ネットワーク１００は、それぞれのネットワークノードによってサーブされるセル１１５と同様のさらに多くのセルを含むことができる。これは図を簡潔にするために図１には示していない。ネットワークノード１１０は一種または数種の通信技術をサポートすることができ、その呼び方は使用される技術と用語に応じて異なる。ｅＮｏｄｅＢ、さらにはｅＮＢと呼ばれる場合もある３ＧＰＰ  ＬＴＥネットワークノードは、１つまたは複数のコアネットワークに直接接続することができる。
【００３７】
ワイヤレス通信ネットワーク１００は、少なくとも第１のワイヤレスデバイス１２１、第２のワイヤレスデバイス１２２、および第３のワイヤレスデバイス１２３も含み、それらのデバイスはセル１１５内に位置する。ワイヤレスデバイス１２１、１２２、および１２３はさらに、他の例をいくつか挙げると、モバイル電話、モバイル端末、ワイヤレス端末および／または移動局、セルラー電話、またはワイヤレス能力を備えたラップトップと呼ばれる場合もある。本例の文脈における第１、第２、および第３のワイヤレスデバイス１２１、１２２、および１２３は、例えば、ＲＡＮを介して別のエンティティとの間で音声および／またはデータを通信することが可能な、携帯型のモバイルデバイス、ポケットに収納できるモバイルデバイス、手持ち型のモバイルデバイス、コンピュータに内蔵されたモバイルデバイス、または車載モバイルデバイスであり、別のエンティティには、サーバ、ラップトップ、携帯情報端末（ＰＤＡ）、またはタブレットコンピュータ（時にワイヤレス能力を備えたサーフプレートと呼ばれることもある）、マシントゥマシン（Ｍ２Ｍ）デバイス、プリンタやファイル記憶装置などのワイヤレスインターフェースを備えたデバイス、またはセルラー通信システムでＤ２Ｄリンクおよび無線リンクを介して通信することが可能な他の無線ネットワーク装置などがある。実施形態によっては、ワイヤレスデバイス１２１、１２２、および１２３はさらにネットワークノードと呼ばれる場合もある。ワイヤレスデバイス１２１、１２２、および１２３はワイヤレスであり、すなわち、セルラー無線システムまたはセルラーネットワークと呼ばれることもあるワイヤレス通信ネットワーク内でワイヤレスに通信することができる。通信は、２つのデバイス間、デバイスと一般の電話機の間、および／またはデバイスとサーバの間で行うことができる。通信は、例えば、ワイヤレス通信ネットワーク内に含まれるＲＡＮおよびおそらくは１つまたは複数のコアネットワークを介して行うことができる。
【００３８】
この例では、第１のワイヤレスデバイス１２１および第２のワイヤレスデバイス１２２もセル１１５内にある。ただし、他の実施形態では、第１のワイヤレスデバイス１２１および／または第２のワイヤレスデバイス１２２のどちらかがセル１１５の近隣にある別のセルにあるが、互いの無線範囲にある。第１のワイヤレスデバイス１２１および第２のワイヤレスデバイス１２２は、ワイヤレス通信ネットワーク１００内で通信するように設定されている。その通信は、ネットワークノード１１０を介して、または近隣セルにサーブする別のネットワークノードを介して行うことができる。その通信は、例えばそれぞれ無線リンク１３１、および無線リンク１３２などの無線リンクを通じて行うことができる。これは、第１のワイヤレスデバイス１２１および第２のワイヤレスデバイス１２２がネットワークノード１１０にサーブされるセル１１５内に存在する時にもありえるし、上記別のネットワークノードによってサーブされる隣接セルにある時にもありえる。第１のワイヤレスデバイス１２１および第２のワイヤレスデバイス１２２は、例えばＤ２Ｄリンク１４０を通じたワイヤレスＤ２Ｄ通信を使用して、互いと、および／または他のワイヤレスデバイスとも通信することができる。第１のワイヤレスデバイス１２１および第２のワイヤレスデバイス１２２はＤ２Ｄネットワーク１００に含まれる。
【００３９】
第３のワイヤレスデバイス１２３はセルラーネットワーク内に含まれ、実施形態によっては、第３のワイヤレスデバイス１２３は、ネットワークノード１１０にサーブされるセル１１５内に存在する時に、無線リンク１３３を通じてネットワークノード１１０を介して混合ワイヤレス通信ネットワーク１００内で通信するように設定されている。
【００４０】
デバイス１２１、１２２、および１２３は各々、セルラー通信もしくはＤ２Ｄ通信の一方、または両方を使用して通信するように設定することができる。ただし、説明のために、以下の説明では、第１のワイヤレスデバイス１２１および第２のワイヤレスデバイス１２２はＤ２Ｄ通信を使用するものとし、第３のワイヤレスデバイス１２３はセルラー通信を使用するものとする。
【００４１】
次いで、アップリンク（ＵＬ）の無線リソースをＤ２Ｄデバイス１２１、１２２のペアに割り当てるためのネットワークノード１１０における方法の実施形態について、図２に示すフローチャートを参照して説明する。上記のように、ネットワークノード１１０およびＤ２Ｄペアは、ワイヤレス通信ネットワーク１００内に含まれる。Ｄ２Ｄペア１２１、１２２は、第１のワイヤレスデバイス１２１および第２のワイヤレスデバイス１２２を含む。
【００４２】
この方法は以下の工程を含み、それらの工程は下記以外の別の適切な順序で実施することもできる。実施形態によっては下記の工程がすべて実行されるのに対し、他の実施形態では一部の１つまたは複数の工程だけが実施される場合もある。
【００４３】
工程２００
この工程では、ネットワークノード１１０が、Ｄ２Ｄデバイス１２１、１２２のペアに対して共通のダウンリンク（ＤＬ）識別子を割り振る。これを行うことにより、Ｄ２Ｄデバイス１２１、１２２を１つのまとまりとして識別できるようになる。
【００４４】
一部の特定の実施形態では、共通のＤＬ識別子はＤ２Ｄ無線ネットワーク一時識別子（Ｄ２Ｄ−ＲＮＴＩ）である。
【００４５】
工程２０１
この工程では、ネットワークノード１１０がＤ２Ｄデバイス１２１、１２２のペアに共通のＤＬ制御シグナリングメッセージを割り振る。これを行うことにより、従来のデバイス個別のシグナリングを介したＤ２Ｄペアの２つのデバイス１２１、１２２に一般的にみられた重複したシグナリング（ひいては重複した無線リソース）を回避する。
【００４６】
一部の特定の実施形態では、共通のＤＬ制御シグナリングメッセージはＤＣＩである。特定のデバイスペアにＤＣＩを割り当てるために、Ｄ２Ｄ−ＲＮＴＩなど、Ｄ２Ｄペア１２１、１２２に固有の識別子でＤＣＩにスクランブルをかけることができる。Ｄ２Ｄペアに固有のＤ２Ｄ−ＲＮＴＩはそのＤ２Ｄペアに既知である。ＰＤＣＣＨ内にあるＤＣＩセットの中でＤ２Ｄペア１２１のＤ２Ｄ−ＲＮＴＩ自体でスクランブルされたＤＣＩをブラインド検索することにより、Ｄ２Ｄペア１２１、１２２の各デバイスは自ペアに割り当てられたＤＣＩを見つけることができる。
【００４７】
工程２０２
Ｄ２Ｄペア１２１、１２２への共通のＤＬ制御シグナリングメッセージの割り振りは、Ｄ２Ｄペア１２１、１２２へのＰＤＣＣＨなどのＤＬ無線リソースの割り当てについての暗示的な示唆を有する。これは、本発明の方法が現在のＬＴＥ仕様などのシステムの前提に基づくためであり、ＬＴＥ仕様では、Ｄ２Ｄペアに割り当てられたＤＬ無線リソースの量が、ＤＣＩなどの制御シグナリングメッセージに割り当てられる。
【００４８】
この工程２０２で、ネットワークノード１１０は、ＤＬ無線リソース３１０、４１０、５１０、６１０、７１０、８１０、９１０を、共通のＤＬ制御シグナリングメッセージのためにＤ２Ｄデバイス１２１、１２２に割り当てることができる。ＤＬ無線リソース３１０、４１０、５１０、６１０、７１０、８１０、９１０については下記で図３〜図９を参照して詳細に説明する。Ｄ２Ｄペアに割り当てられるＤＬリソース単位３１１、３１２、４１１、４１２、５１１、５１２、６１１、７１１、７１２、８１１〜８１４、９１１〜９１８（これらについても後に詳細に説明する）の数、すなわちアグリゲーションレベルは、Ｄ２Ｄペアのワイヤレスデバイス１２１、１２２各々のチャネル品質に応じて変わりうる。本システムにおけるアグリゲーションレベルは１、２、４、または８である。ただし、本発明の一部の実施形態は、当業者に理解されるように、偶数のアグリゲーションレベル、すなわち偶数であるすなわちアグリゲーションレベルなど、８よりも高いアグリゲーションレベルに適用することができる。
【００４９】
アグリゲーションレベルは下限を有する場合がある。現在のＬＴＥ仕様によると、ＤＣＩの特定の場合に、最小のアグリゲーションレベルは１ＣＣＥである。
【００５０】
本明細書に記載される本発明の実施形態の一部では、ＤＬ無線リソースはＰＤＣＣＨを含み、ＵＬ無線リソースはＰＵＣＣＨを含む。さらに他の特定の実施形態では、ＰＵＣＣＨはＡＣＫ／ＮＡＣＫフィードバックを含むことができる。
【００５１】
本発明の方法は、ネットワークノード１１０が、デフォルトで、Ｄ２Ｄペア１２１、１２２に割り当てられたＤＬ無線リソースの量に基づいて、ＡＣＫ／ＮＡＣＫフィードバックを搬送するＰＵＣＣＨなどのＵＬ無線リソースＤ２Ｄをペア１２１、１２２に割り当てるという前提にも基づく。
【００５２】
これは、デフォルトで以下のように行うことができる。ＤＬ無線リソースはいくつかのＤＬ無線リソース単位を含み、ＵＬ無線リソースはいくつかのＵＬ無線リソース単位を含む。例えば、一部の特定の実施形態では、ＤＬ無線リソース単位は制御チャネルエレメント（ＣＣＥ）である。一部の特定の実施形態では、ＵＬ無線リソース単位は、リソース単位が時間／周波数領域で定量化される場合にはリソースブロックであってよい。他の実施形態では、ＵＬ無線リソース単位は、時間／周波数／符号領域の組合せの一部分であってよい。
【００５３】
各ＤＬ無線リソース単位にデフォルトで割り当てることができるＵＬ無線リソース単位の数は、比、すなわち、それぞれデルタシフト１、２、および３に対応する１：１、１：２、１：３に従って行うことができる。例えば３ＧＰＰ仕様に存在するデルタシフトは、符号分割多重化（ＣＤＭｄ）されたＰＵＣＣＨの隣接する符号など、ＵＬの隣接符号間の干渉を低減するためのものである。現在の３ＧＰＰ仕様によると、デルタＰＵＣＣＨシフト（deltaPUCCH-Shift）は１、２、３の値を取ることができ、これは、ＤＬリソースからＵＬリソースをマッピングする際に適用されるＰＵＣＣＨリソースの間隔を表す。例えば、異なるＰＵＣＣＨ符号からの送信間の干渉を緩和するために、ＰＤＣＣＨの隣接するＣＣＥは、０／１／２のリソースインデックスを間にはさんでＰＵＣＣＨにマッピングすることができる。
【００５４】
デルタシフト１：１、１：２、１：３に従ったＤＬ無線リソースに基づくＵＬ無線リソースのデフォルトの割り当てを図３〜図９に示し、以下各図との関連で説明する。以下で説明するこのＤ２Ｄペア１２１、１２２へのＵＬ無線リソースのデフォルトの割り当てがどのように本発明の実施形態のＵＬ無線リソースの割り当てに関係するかについては、工程２０３に関連して下記でさらに詳細に説明する。
【００５５】
図３は、本実施形態ではＤＬ無線リソース単位３１１および３１２を含むＤＬ無線リソース３１０を示す。ＵＬ無線リソース３２０は、ＵＬ無線リソース単位３２１および３２２を含む。この図では、ＤＬ無線リソース単位３１１、３１２各々に、ＵＬ無線リソース単位３２１、３２２の１つが割り当てられるように設定されており、すなわち１：１の比、すなわちデルタシフト１になる。
【００５６】
図４は、本実施形態ではＤＬ無線リソース単位４１１および４１２を含むＤＬ無線リソース４１０を示す。ＵＬ無線リソース４２０は、ＵＬ無線リソース単位４２１および４２２を含む。この図では、ＤＬ無線リソース単位４１１、４１２各々に、ＵＬ無線リソース単位４２１、４２２の１つが割り当てられるように設定され、すなわち１：１の比、すなわちデルタシフト１になる。
【００５７】
図５は、本実施形態ではＤＬ無線リソース単位５１１および５１２を含むＤＬ無線リソース５１０を示す。ＵＬ無線リソース５２０は、ＵＬ無線リソース単位５２１、５２２、５２３、および５２４を含む。この図では、ＤＬ無線リソース単位４１１、４１２各々に、ＵＬ無線リソース単位５２１、５２２、５２３および５２４のうち２つが割り当てられるように設定されており、すなわち１：２の比、すなわちデルタシフト２になる。
【００５８】
図６は、本実施形態ではＤＬ無線リソース単位６１１を含むＤＬ無線リソース６１０を示す。ＵＬ無線リソース６２０は、ＵＬ無線リソース単位６２１１、６２２１、６２２２、および６２３１〜６２３３を含む。この図では、ＤＬ無線リソース単位６１１に１つのＵＬ無線リソース単位６２１１が割り当てられ、すなわち１：１の比、すなわちデルタシフト１となるか、または、２つのＵＬ無線リソース単位６２２１、６２２２が割り当てられ、すなわち１：２の比すなわちデルタシフト２となるか、または３つのＵＬ無線リソース単位６２３１、６２３２、および６２３３が割り当てられ、すなわち１：３の比、すなわちデルタシフト３となるように設定されている。
【００５９】
図７は、本実施形態ではＤＬ無線リソース単位７１１および７１２を含むＤＬ無線リソース７１０を示す。ＵＬ無線リソース７２０は、ＵＬ無線リソース単位７２１１、７２１２、７２２１〜７２２４、および７２３１〜７２３４を含む。この図では、ＤＬ無線リソース単位７１１および７１２各々に１つのＵＬ無線リソース単位７２１１、７２１２が割り当てられ、すなわち１：１の比、すなわちデルタシフト１となるか、または２つのＵＬ無線リソース単位７２２１〜７２２４が割り当てられ、すなわち１：２の比すなわちデルタシフト２となるか、または３つのＵＬ無線リソース単位７２３１〜７２３４が割り当てられ、すなわち１：３の比、すなわちデルタシフト３となるように設定されている。
【００６０】
図８は、本実施形態ではＤＬ無線リソース単位８１１〜８１４を含むＤＬ無線リソース８１０を示す。ＵＬ無線リソース８２０は、ＵＬ無線リソース単位８２１１〜８２１４、８２２１〜８２２４、および８２３１〜８２３４を含む。この図では、ＤＬ無線リソース単位８１１〜８１４各々に１つのＵＬ無線リソース単位８２１１〜８２１４が割り当てられ、すなわち１：１の比、すなわちデルタシフト１となるか、または２つのＵＬ無線リソース単位８２２１〜８２２４が割り当てられ、すなわち１：２の比、すなわちデルタシフト２となるか、または３つのＵＬ無線リソース単位８２３１〜８２３４が割り当てられ、すなわち１：３の比、すなわちデルタシフト３となるように設定されている。
【００６１】
図９は、本実施形態ではＤＬ無線リソース単位９１１〜９１８を含むＤＬ無線リソース９１０を示す。ＵＬ無線リソース９２０は、ＵＬ無線リソース単位９２１１〜９２１４、９２２１〜９２２４、および９２３１〜９２３４を含む。この図では、ＤＬ無線リソース単位９１１〜９１８各々に１つのＵＬ無線リソース単位９２１１〜９２１４が割り当てられ、すなわち１：１の比、すなわちデルタシフト１となるか、２つのＵＬ無線リソース単位９２２１〜９２２４が割り当てられ、すなわち１：２の比、すなわちデルタシフト２となるか、または３つのＵＬ無線リソース単位９２３１〜９２３４が割り当てられ、すなわち１：３の比、すなわちデルタシフト３となるように設定されている。
【００６２】
上記図のＰＤＣＣＨへのＤＬ無線リソースと、同図のＰＵＣＣＨへのＵＬ無線リソースとの間のデフォルトの割り当ては、これらの２つのチャネルの最小のリソース単位を記述するＰＤＣＣＨおよびＰＵＣＣＨのインデックスに基づく。
【００６３】
上記図はそれぞれ、ワイヤレス通信ネットワーク１００に含まれる、ＤＬ無線リソース３１０、４１０、５１０、６１０、７１０、８１０、９１０、およびＵＬ無線リソース３２０、４２０、５２０、６２０、７２０、８２０、９２０を示す。ＤＬ無線リソース３１０、４１０、５１０、６１０、７１０、８１０、９１０は、いくつかのＤＬ無線リソース単位、３１１、３１２、４１１、４１２、５１１、５１２、６１１、７１１、７１２、８１１〜８１４、９１１〜９１８を含む。ＵＬ無線リソース３２０、４２０、５２０、６２０、７２０、８２０、９２０は、図３〜図９との関連で下記で詳細に説明するように、いくつかのＵＬ無線リソース単位、３２１、３２２、４２１、４２２、５２１〜５２４、６２１１、６２２１、６２２２、６２３１〜６２３３、７２１１、７２１２、７２２１〜７２２４、７２３１〜７２３４、８２１１〜８２１４、８２２１〜８２２４、８２３１〜８２３４、９２１１〜９２１４、９２２１〜９２２４、９２３１〜９２３４を含む。
【００６４】
工程２０３
上記で説明したように、ＵＬ無線リソース３２０、４２０、５２０、６２０、７２０、８２０、９２０の割り当ては、ＤＬ無線リソース３１０、４１０、５１０、６１０、７１０、８１０、９１０の割り当てに基づくことができる。本発明の実施形態は、Ｄ２Ｄペア１２１、１２２の各デバイスから同時に送信された情報を搬送するＵＬリソースから生じる可能性のある干渉を克服することを目的とする。これが該当するのは、ＵＬリソース３２０、４２０、５２０、６２０、７２０、８２０、９２０がＰＵＣＣＨを搬送し、ＵＬ無線リソース３２０、４２０、５２０、６２０、７２０、８２０、９２０が肯定応答／否定応答（ＡＣＫ／ＮＡＣＫ）のフィードバックを含んでいる実施形態である。本発明の実施形態は、上記のように、ペア１２１、１２２の各デバイス別々に、デフォルトでＤ２Ｄペア１２１、１２２に割り当てられたＵＬリソース３２０、４２０、５２０、６２０、７２０、８２０、９２０を割り当てることによってこの干渉を回避する。
【００６５】
ネットワークノード１１０は、第１のワイヤレスデバイス１２１に割り当てられたＵＬ無線リソース３２１、４２１、５２１、６２２１、６２３１、７２１１、７２２１、７２３１、８２１１、８２２１、８２３１、９２１１、９２２１、９２３１が、第２のワイヤレスデバイス１２２に割り当てられたＵＬ無線リソース３２２、４２２、５２２、６２２２、６２３２、７２１２、７２２３、７２３３、８２１３、８２２３、８２３３、９２１３、９２２３、９２３３から隔てられるように、ＵＬ無線リソース３２０、４２０、５２０、６２０、７２０、８２０、９２０を第１のワイヤレスデバイス１２１および第２のワイヤレスデバイス１２２に割り当てることにより、この割り当てを実施する。これは、第１のワイヤレスデバイス１２１に割り当てられるＵＬ無線リソースと第２のワイヤレスデバイス１２２に割り当てられるＵＬ無線リソースとの間に、時間オフセット、周波数オフセット、および符号分割多重オフセットの１つまたは複数を適用することによって行われる。ＵＬ無線リソース３２０、４２０、５２０、６２０、７２０、８２０、９２０の割り当ては、図３〜図９との関連で下記で詳細に説明するように、共通のＤＬ制御シグナリングメッセージに基づく。それらの図で示されるＵＬおよびＤＬの無線リソース単位の数は単に代表的なものであり、すべての実施形態について限定の意図はなく、単に単純な例で説明するために選択されたものである。他の実施形態では、ＤＬ無線リソース単位の数は、図３〜図９に示す方式と同じ割り当て方式に従って増える場合もある。
【００６６】
時間オフセット、周波数オフセット、および符号分割多重オフセットの１つまたは複数の適用は、下記のように、Ｄ２Ｄペア１２１、１２２に割り当てられるＤＬ無線リソースの数、およびＤＬ対ＵＬの割り当て比、すなわちデルタシフトに依存する。
【００６７】
第１のグループの実施形態では、ＤＬ無線リソース単位３１１、３１２、７１１、７１２、８１１〜８１４、９１１〜９１８各々に、１つのＵＬ無線リソース単位３２１、３２２、７２１１、７２１２、８２１１〜８２１４、９２１１〜９２１４が割り当てられて、すなわちデルタシフト１となるか、２つのＵＬ無線リソース単位７２２１〜７２２４、８２２１〜８２２４、９２２１〜９２２４が割り当てられてすなわちデルタシフト２となるか、または、３つのＵＬ無線リソース単位７２３１〜７２３４、８２３１〜８２３４、９２３１〜９２３４が割り当てられて、すなわちデルタシフト３となるように設定することができる。そのような実施形態では、Ｄ２Ｄデバイス１２１、１２２へのＤＬ無線リソース３１０、７１０、８１０、９１０の割り当ては、共通のＤＬ制御シグナリングメッセージに関連付けられた偶数個のＤＬ無線リソース単位３１１、３１２、７１１、７１２、８１１〜８１４、９１１〜９１８を割り当てることを含むことができる。この偶数個のＤＬ無線リソース単位３１１、３１２、７１１、７１２、８１１〜８１４、９１１〜９１８に、デフォルトで、共通のＤＬ制御シグナリングメッセージに関連付けられた偶数個のＵＬ無線リソース単位、３２１、３２２、７２１１、７２１２、７２２１〜７２２４、７２３１〜７２３４、８２１１〜８２１４、８２２１〜８２２４、８２３１〜８２３４、９２１１〜９２１４、９２２１〜９２２４、９２３１〜９２３４が割り当てられるように設定することができる。そのような実施形態では、時間オフセット、周波数オフセット、および符号分割多重オフセットの１つまたは複数を、第１のＤＬチャネルリソースに基づくオフセットとすることができる。この第１のＤＬチャネルリソースに基づくオフセットに従うと、第１のＤＬチャネルリソースに基づくオフセットを適用することによるＵＬ無線リソース３２０、７２０、８２０、９２０の割り当てはさらに、偶数個のＵＬ無線リソース単位の前半にある１つのＵＬ無線リソース単位３２１、７２１１、７２２１、７２３１、８２１１、８２２１、８２３１、９２１１、９２２１、９２３１を第１のワイヤレスデバイス１２１に割り当て、偶数個のＵＬ無線リソース単位の後半にある１つのＵＬ無線リソース単位３２２、７２１２、７２２３、７２３３、８２１３、８２２３、８２３３、９２１３、９２２３、９２３３を第２のワイヤレスデバイス１２２に割り当てることを含むことができる。
【００６８】
一部の特定の実施形態では、偶数個のＤＬ無線リソース単位は、２、４、または８の１つである。
【００６９】
図３の代表例に示す、この第１のグループの実施形態の最も単純な事例では、Ｄ２Ｄペア１２１、１２２に２つのＤＬ無線リソース単位３１１および３１２が割り当てられうる。この場合、割り当て比が１：１であるので、ＵＬ無線リソース単位の数も２つ、すなわち３２１および３２２とすることができる。したがって、ネットワークノード１１０は、単位３２１などのＵＬ無線リソース単位をＤ２Ｄペアのデバイスの一方、例えば第１のワイヤレスデバイス１２１に割り当て、他方のＵＬ無線リソース単位３２２をＤ２Ｄペアの他方のデバイス、この例では第２のワイヤレスデバイス１２２に割り当てることができる。図３〜図９では、ＵＥ１が第１のワイヤレスデバイス１２１を指し、ＵＥ２が第２のワイヤレスデバイス１２２を指す。
【００７０】
このオフセットした割り当てにより、Ｄ２Ｄペアの異なるメンバ１２１、１２２からの送信が互いと干渉しないことを保証することができる。図３に示す例では、ＤＬリソースが２ＣＣＥであり、Ｄ２Ｄペアのデバイス１２１、１２２各々がＵＬで異なるリソースブロックで送信することができ、したがって互いとの干渉を回避することができる。図３の例と同様の例を、ＵＬリソース単位７２１１および７２１２、すなわちデルタシフト１の場合について図７にも示す。
【００７１】
Ｄ２Ｄペア１２１、１２２に割り当てられたＤＬ無線リソース単位の数が偶数であるが４や８など２より大きく、割り当て比が１：１、すなわちデルタシフト１である（ＵＬ無線リソース単位の数も偶数であることを意味する）場合に、同様のプロセスが発生することができる。これを、Ｄ２Ｄペア１２１、１２２に４つのＤＬ無線リソース単位８１１〜８１４が割り当てられる実施形態を示す図８、および、Ｄ２Ｄペア１２１、１２２に８つのＤＬ無線リソース単位９１１〜９１８が割り当てられる実施形態を示す図９に示す。両方の場合とも、またペアに割り当てられる無線リソース単位の数が偶数であり得る他の場合にも、ネットワークノード１１０は、偶数個のＵＬ無線リソース単位の前半にある１つのＵＬ無線リソース単位をＤ２Ｄペアのデバイスの一方、例えば第１のワイヤレスデバイス１２１に割り当て、偶数個のＵＬ無線リソース単位の後半にある別のＵＬ無線リソース単位をＤ２Ｄペアの他方のデバイス、この例では第２のワイヤレスデバイス１２２に割り当てることができる。図８の実施形態では、ＵＬ無線リソース単位８２１１が第１のワイヤレスデバイス１２１すなわちＵＥ１に割り当てられ、ＵＬ無線リソース単位８２１３が第２のワイヤレスデバイス１２２すなわちＵＥ２に割り当てられる。図９の実施形態では、ＵＬ無線リソース単位９２１１が第１のワイヤレスデバイス１２１すなわちＵＥ１に割り当てられ、ＵＬ無線リソース単位９２１３が第２のワイヤレスデバイス１２２すなわちＵＥ２に割り当てられる。
【００７２】
Ｄ２Ｄペアに割り当てられるＤＬ無線リソース単位の数が２、４、または８などの偶数であり、かつ割り当て比が１：２、すなわちデルタシフト２であるか、または１：３、すなわちデルタシフト３（これらはＤ２Ｄペアに割り当てられるＵＬ無線リソース単位の数も偶数にできることを意味する）である実施形態で、同様のプロセスを行うことができる。これを、２つのＤＬ無線リソース単位７１１、７１２を割り当てる場合について図７に示す。１：２の割り当て比、すなわちデルタシフト２の場合、ＵＬ無線リソース単位７２２１を第１のワイヤレスデバイス１２１すなわちＵＥ１に割り当てることができ、ＵＬ無線リソース単位７２２３を第２のワイヤレスデバイス１２２すなわちＵＥ２に割り当てることができる。同様に、割り当て比が１：３、すなわちデルタシフト３である場合は、ＵＬ無線リソース単位７２３１を第１のワイヤレスデバイス１２１すなわちＵＥ１に割り当て、ＵＬ無線リソース単位７２３３を第２のワイヤレスデバイス１２２すなわちＵＥ２に割り当てることができる。これを、４つのＤＬ無線リソース単位８１１〜８１４を割り当てる場合について図８にも示す。１：２の割り当て比、すなわちデルタシフト２の場合は、ＵＬ無線リソース単位８２２１を第１のワイヤレスデバイス１２１すなわちＵＥ１に割り当て、ＵＬ無線リソース単位８２２３を第２のワイヤレスデバイス１２２すなわちＵＥ２に割り当てることができる。同様に、割り当て比を１：３、すなわちデルタシフト３とすることができる場合は、ＵＬ無線リソース単位８２３１を第１のワイヤレスデバイス１２１すなわちＵＥ１に割り当て、ＵＬ無線リソース単位８２３３を第２のワイヤレスデバイス１２２すなわちＵＥ２に割り当てることができる。これを、８つのＤＬ無線リソース単位９１１〜９１８を割り当てる場合について図９にも示す。１：２の割り当て比、すなわちデルタシフト２の場合は、ＵＬ無線リソース単位９２２１を第１のワイヤレスデバイス１２１すなわちＵＥ１に割り当て、ＵＬ無線リソース単位９２２３を第２のワイヤレスデバイス１２２すなわちＵＥ２に割り当てることができる。同様に、割り当て比が１：３、すなわちデルタシフト３の場合は、ＵＬ無線リソース単位９２３１を第１のワイヤレスデバイス１２１、すなわちＵＥ１に割り当て、ＵＬ無線リソース単位９２３３を第２のワイヤレスデバイス１２２すなわちＵＥ２に割り当てることができる。
【００７３】
ＵＬリソース単位の数が２よりも多い図７〜図９に示す例では、第１のＤＬチャネルリソースに基づくオフセットを適用することによる第１のワイヤレスデバイス１２１および第２のワイヤレスデバイス１２２へのＵＬ無線リソース７２０、８２０、９２０の割り当ては、第１のワイヤレスデバイス１２１と第２のワイヤレスデバイス１２２に割り当てられるＵＬ無線リソースとが、偶数個のＵＬ無線リソース単位７２２２、７２２４、７２３２、７２３４、８２１２、８２１４、８２２２、８２２４、８２３２、８２３４、９２１２、９２１４、９２２２、９２２４、９２３２、９２３４の前半にあるすべての割り当てられないＵＬ無線リソース単位で隔てられるように行うことができる。すなわち、図７〜図９の図式表現において、第１のワイヤレスデバイス１２１には、ＤＬ無線リソースに割り当てられたＵＬ無線リソースの前半にある最初のＵＬ無線リソース単位が割り当てられ、第２のワイヤレスデバイス１２２には、ＤＬ無線リソースに割り当てられたＵＬ無線リソースの後半にある最初のＵＬ無線リソース単位が割り当てられる。そのような実施形態では、これを行うことにより、第１のワイヤレスデバイス１２１と第２のワイヤレスデバイス１２２のＵＬの送信間で生じ得る干渉を最小に抑えることができる。ただし、他の実施形態では、Ｄ２Ｄペアのデバイス１２１、１２２各々に割り当てられたＵＬ無線リソース単位が互いから隔てられる限り、Ｄ２Ｄペア１２１、１２２に割り当てられたすべてのＵＬ無線リソース単位のうち任意のＵＬ無線リソース単位を第１のワイヤレスデバイス１２１に割り当て、Ｄ２Ｄペア１２１、１２２に割り当てられたすべてのＵＬ無線リソース単位のうち他の任意のＵＬ無線リソース単位を第２のワイヤレスデバイス１２２に割り当ててもよい。第１のＤＬチャネルリソースに基づくオフセットを適用することによる第１のワイヤレスデバイス１２１および第２のワイヤレスデバイス１２２へのＵＬ無線リソース７２０、８２０、９２０の割り当ては、異なるＵＬリソースマッピング方式を決定することによって実施することができ、このマッピング方式は、仕様で事前に決定されるか、ネットワークシグナリングで動的に制御される。
【００７４】
第２のグループの実施形態では、ＤＬ無線リソース単位４１１、４１２各々に、ＵＬ無線リソース単位４２１、４２２の１つが割り当てられるように設定することができ、すなわち１：１の比となる。この第２のグループの実施形態では、Ｄ２Ｄデバイス１２１、１２２へのＤＬ無線リソース４１０の割り当ては、共通のＤＬ制御シグナリングメッセージに関連付けられた１つのＤＬ無線リソース単位４１１をＤ２Ｄペア１２１、１２２に割り当てることを含むことができる。この１つのＤＬ無線リソース単位４１１に、デフォルトで、共通のＤＬ制御シグナリングメッセージに関連付けられた１つのＵＬ無線リソース単位４２１が割り当てられるように設定することができる。そのような実施形態では、時間オフセット、周波数オフセット、および符号分割多重オフセットの１つまたは複数を、第２のＤＬチャネルリソースに基づくオフセットとすることができる。その第２のＤＬチャネルリソースに基づくオフセットに従うと、第２のＤＬチャネルリソースに基づくオフセットを適用することによるＵＬ無線リソース４２０の割り当てはさらに、１つの追加的なＵＬ無線リソース単位４２２をＤ２Ｄペア１１２、１２２に割り当てることを含むことができ、１つの追加的なＵＬ無線リソース単位４２２は、１つの追加的なＤＬ無線リソース単位４１２に割り当てられるように設定される。
【００７５】
図４の代表例に示すこの第２のグループの実施形態の最も単純な事例では、Ｄ２ＤペアにＤＬ無線リソース単位４１１が割り当てられていてよい。この場合、割り当て比を１：１とすることができるので、ＵＬ無線リソース単位の数も１つ、すなわち４２１とすることができる。そのような実施形態では、ネットワークノード１１０は、ＵＬ無線リソース単位４２１を第１のワイヤレスデバイス１２１に割り当て、追加のＵＬ無線リソース単位４２２を第２のワイヤレスデバイス１２２に割り当てることができる。この場合、追加的なＤＬ無線リソース単位４１２、そして追加のＵＬ無線リソース単位４２２がワイヤレスデバイス１２３などの第３のワイヤレスデバイスに割り当てられないように、ネットワークノード１１０は、４２２のＵＬ無線リソース単位が割り当てられるＤＬ無線リソース単位にさらに対策を取る必要がある可能性がある。これについては工程２０５に関して下記で説明する。
【００７６】
この第２のＤＬチャネルリソースに基づくオフセットした割り当てにより、Ｄ２Ｄペアの異なるデバイス１２１、１２２からの送信が互いと干渉しないことを保証することができる。ＤＬ無線リソースが１ＣＣＥである図４に示す例では、Ｄ２Ｄペアの各デバイス１２１、１２２がＵＬで異なるリソースブロックで送信することができ、したがって互いへの干渉を生じさせることを回避することができる。図６には示さないが、ＵＬリソース単位６２１１、すなわちデルタシフト１の場合について、図４と同様の例が示唆される。図４に示す場合と同様にして、ＵＬリソース単位６２１１を第１のワイヤレスデバイス１２１に割り当て、追加的なＵＬリソース単位（図示せず）を第２のワイヤレスデバイス１２２に割り当てることができる。
【００７７】
一部の特定の実施形態では、第１および第２のＤＬチャネルリソースに基づくオフセットの少なくとも１つは、物理ダウンリンク制御チャネル（ＰＤＣＣＨ）の制御チャネルエレメント（ＣＣＥ）に基づくオフセットとすることができ、すなわち、適切なＣＣＥの設定に基づくオフセットとして、第１のワイヤレスデバイス１２１と第２のワイヤレスデバイス１２２からのＵＬ送信間の干渉を回避する。上記のように、これは第１のＤＬチャネルリソースに基づくオフセットでは偶数個のＣＣＥを割り当てることによって行われ、第２のＤＬチャネルリソースに基づくオフセットでは追加的なＣＣＥを使用することによって行われる。
【００７８】
すぐ上記で説明した実施形態では、ＰＤＳＣＨの浪費などのＤＬ無線リソースの浪費が回避される。ただし、１：１の比の場合の図４および図６を参照した後者の実施形態では、ＰＤＣＣＨなど他のＤＬ無線リソースの浪費が多少生じる可能性がある。ＤＬ無線リソースの浪費をさらに回避するために、他の実施形態では、下記の実施形態について以下で説明するように、デルタＰＵＣＣＨシフトなどの符号分割多重オフセットを用いることにより、ＰＵＣＣＨリソースの衝突などのＵＬシグナリングの衝突を回避することができる。
【００７９】
３ＧＰＰ仕様のＲｅｌｅａｓｅ１０では、ＰＵＣＣＨの送信にＵＬのマルチアンテナの使用が導入され、それにより、１台のワイヤレスデバイス１２１、１２２、１２３の２つのアンテナが異なるＰＵＣＣＨリソースを使用することが可能になっている。すなわち、ＰＵＣＣＨの送信に空間直交リソース送信ダイバーシティ（ＳＯＲＴＤ）方式が使用され、ＰＵＣＣＨリソースＮをアンテナポート０に使用し、リソースＮ＋１をアンテナポート１に使用することができる。デルタＰＵＣＣＨシフトが１より大きい値に設定されると、隣接するＰＵＣＣＨ間の間隔をＵＬマルチアンテナの事例に使用することができる。すなわち、図５でＵＥ３について示すように、例えば、第３のデバイス１２３などのデバイスＵＥ３、または第１のワイヤレスデバイス１２１もしくは第２のワイヤレスデバイス１２２以外のＤ２Ｄワイヤレスデバイスの２つのアンテナが、それぞれＰＵＣＣＨ  ＵＬ無線リソース単位５２３および５２４を使用することができる。これを行うことによりダイバーシティの利得を得ることができる（この図ではデルタＰＵＣＣＨシフト＝２）。同様に、同じく図５に示すように、デルタシフトを２つのＤ２Ｄデバイスで使用してＵＬの送信を区別することができ、その場合、２つのＤ２Ｄデバイスが実際に従来のシナリオでの２つのアンテナとして扱われる。２つのＤ２Ｄデバイス１２１、１２２は現在のＵＬマルチアンテナ方式に準拠することができ、すなわち、各デバイス１２１、１２２が１つの「アンテナ」として動作し、そのため、ＰＵＣＣＨ間隔が他方のデバイスに利用される。各Ｄ２Ｄデバイス１２１、１２２が使用できるアンテナの数には制限はないかもしれないが、１つのみのＵＬ無線リソースを使用することができる。
【００８０】
前述によると、第３のグループの実施形態では、ＤＬ無線リソース単位５１１、５１２、６１１の各々に、デフォルトで２つのＵＬ無線リソース単位５２１、５２２、５２３、５２４、６２２１、６２２２を割り当てるように設定することができ、ＤＬ無線リソース５１０、６１０を割り当てることは、共通のＤＬ制御シグナリングメッセージに関連付けられた１つのＤＬ無線リソース単位５１１、６１１をＤ２Ｄペア１２１、１２２に割り当てることを含むことができる。そのような実施形態では、時間オフセット、周波数オフセット、および符号分割多重オフセットの１つまたは複数を第１のＵＬチャネルシフトに基づくオフセットとすることができる。この第１のＵＬチャネルシフトに基づくオフセットに従うと、第１のＵＬチャネルシフトに基づくオフセットを適用することによってＵＬ無線リソース５２０、６２０を割り当てることはさらに、第１のＵＬ無線リソース単位５２１、６２２１を第１のワイヤレスデバイス１２１に割り当て、第２のＵＬ無線リソース単位５２２、６２２２を第２のワイヤレスデバイス１２２に割り当てることを含むことができる。
【００８１】
図５の代表例に示す、この第３のグループの実施形態の最も単純な事例では、Ｄ２Ｄペアに１つのＤＬ無線リソース単位５１１が割り当てられていてもよい。この場合、割り当て比は１：２であるので、ＵＬ無線リソース単位の数は２つ、すなわち５２１および５２２とすることができる。したがって、ネットワークノード１１０は、単位５２１などのＵＬ無線リソース単位をペアのデバイスの一方、例えば第１のワイヤレスデバイス１２１に割り当て、他方のＵＬ無線リソース単位５２２をペアの他方のデバイス、この例では第２のワイヤレスデバイス１２２に割り当てることができる。このオフセットした割り当てにより、Ｄ２Ｄペアの異なるメンバ１２１、１２２からの送信が互いと衝突しないことを保証することができる。図５に示す例では、ＤＬ無線リソースが１ＣＣＥであり、Ｄ２Ｄペアのデバイス１２１、１２２各々がＵＬで異なるリソースブロックで送信することができ、したがって衝突を回避することができる。図５の例と同様の例を、ＵＬリソース単位６２１１および６２１２、すなわちデルタシフト２の場合について図６にも示す。
【００８２】
第４のグループの実施形態では、ＤＬ無線リソース単位６１１の各々に、デフォルトで３つのＵＬ無線リソース単位６２３１〜６２３３が割り当てられるように設定することができる。ＤＬ無線リソース６１０の割り当ては、共通のＤＬ制御シグナリングメッセージに関連付けられた１つのＤＬ無線リソース単位６１１をＤ２Ｄペア１２１、１２２に割り当てることを含むことができる。そのような実施形態では、時間オフセット、周波数オフセット、および符号分割多重オフセットの１つまたは複数を、第２のＵＬチャネルシフトに基づくオフセットとすることができる。その第２のＵＬチャネルシフトに基づくオフセットに従うと、第２のＵＬチャネルシフトに基づくオフセットを適用することによってＵＬ無線リソース６２０を割り当てることはさらに、第１のＵＬ無線リソース単位６２３１を第１のワイヤレスデバイス１２１に割り当て、第２のＵＬ無線リソース単位６２３２を第２のワイヤレスデバイス１２２に割り当てることを含むことができる。
【００８３】
図６の代表例に示す、この第４のグループの実施形態の最も単純な事例では、Ｄ２Ｄペアに１つのＤＬ無線リソース単位６１１が割り当てられていてもよい。この場合、割り当て比を１：３とすることができるので、ＵＬ無線リソース単位の数は、３つ、すなわち６２３１〜６２３３とすることもできる。したがって、ネットワークノード１１０は、図６でデルタシフト３について示すように、単位６２３１などのＵＬ無線リソース単位をペアのデバイスの一方、例えば第１のワイヤレスデバイス１２１に割り当て、他の２つのＵＬ無線リソース単位の一方、例えばＵＬ無線リソース単位６２３２をペアのデバイスの他方、この例では、第２のワイヤレスデバイス１２２に割り当てることができる。このオフセットした割り当てにより、Ｄ２Ｄペアの異なるメンバ１２１、１２２からの送信が互いと衝突しないことを保証することができる。図６に示す例では、ＤＬ無線リソースが１ＣＣＥであり、ペアの各デバイスがＵＬで異なるリソースブロックで送信することができ、したがって衝突を回避することができる。
【００８４】
一部の特定の実施形態では、第１および第２のＵＬチャネルシフトに基づくオフセットの少なくとも１つをデルタ物理アップリンク制御チャネル（ＰＵＣＣＨ）のシフトに基づくオフセット、すなわち、適切なデルタＰＵＣＣＨシフトの設定に基づくオフセットとして、第１のワイヤレスデバイス１２１と第２のワイヤレスデバイス１２２からのＵＬ送信間の干渉を回避する。
【００８５】
上記の種々のグループの実施形態すべてにおいて、Ｄ２Ｄペアの２つのデバイスのどちらを第１のワイヤレスデバイス１２１に指定し、どちらを第２のワイヤレスデバイス１２２に指定するかという命題が生じる。すなわち、ＵＬ無線リソース３２０、４２０、５２０、６２０、７２０、８２０、９２０が２つの別個のリソースｘおよびｙからなる場合には、Ｄ２Ｄペアの２つのメンバ１２１、１２２の一方へのリソースｘとリソースｙの割り当てをどのように行えばよいかに関して命題が生じる。
【００８６】
本発明の実施形態によると、ＵＬ無線リソース（３２０、４２０、５２０、６２０、７２０、８２０、９２０）を割り当てることは、暗黙的な方式または個別のシグナリングなどの明示的な方式に従ってリソースｘおよびリソースｙを割り当てることを含むことができ、暗黙的な方式は、ＵＬ無線リソースの割り当てが行われる時に、第２のワイヤレスデバイス１２２から第１のワイヤレスデバイス１２１を区別する特徴に基づくことができる。
【００８７】
暗黙的な方式とは、Ｄ２Ｄペアの２つのメンバ１２１、１２２を区別する、事前に決定された規則を言う。例えば、Ｄ２Ｄピアを発見したりＤ２Ｄリンクを周期的に調べたり（probe）するために、１つのビーコン送信機デバイスと１つのビーコン受信機デバイスがありうる。ピア発見段階における異なる役割に従って、ＵＬ無線リソースの分割を自動的に確立することができ、それにより、例えばビーコン送信機を第１のワイヤレスデバイス１２１に指定し、それに応じてＵＬ無線リソースを割り当て、ビーコン受信機を第２のワイヤレスデバイス１２２に指定し、それに応じてＵＬ無線リソースを割り当てることができる。これは実施形態によっては逆に行うこともできる。他の実施形態では、Ｄ２Ｄペアのメンバ１２１、１２２の他の特徴を使用して、それらの一方を第１のワイヤレスデバイス１２１に指定し、他方を第２のワイヤレスデバイス１２２に指定することができる。そのような特徴は限定的なものではない。当業者には他の適切な特徴が明らかであるだろう。
【００８８】
明示的な方式とは、例えば、セルラー無線ネットワーク一時識別子（Ｃ−ＲＮＴＩ）などのＤ２Ｄデバイス１２１、１２２の２つの個別の識別子を使用することにより、ネットワークノード１１０がＤ２Ｄペアのどちらかのメンバへの個別のシグナリングを使用してＵＬ無線リソースの割り当てを制御できる実施形態を言う。他の実施形態では、これは、Ｄ２Ｄペアの２つのメンバを区別する他の特徴に従って行うことができる。上記の特徴の例は限定的なものではない。当業者には他の特徴が明らかであるだろう。
【００８９】
本明細書に記載される実施形態では、ネットワークノード１１０は、ＲＲＣシグナリングまたはＭＡＣ  ＣＥシグナリングを介してＤ２Ｄペアのワイヤレスデバイス１２１、１２２と通信して、一方を第１のワイヤレスデバイス１２１に指定し、他方を第２のワイヤレスデバイス１２２に指定することができる。
【００９０】
工程２０４
上記で図６〜図９で説明した実施形態のうち、ＵＬ無線リソース６２３１〜６２３３、７２２１〜７２３４、８２１１〜８２３４、９２１１〜９２３４の数が２よりも多い実施形態では、Ｄ２Ｄペアのワイヤレスデバイス１２１、１２２間のＵＬ無線リソースの割り当て方法の結果、割り当てられないままとなるＵＬ無線リソース単位が生じる可能性がある。これは、ＵＬ無線リソース単位７２２２、７２２４、７２３２、７２３４、８２１２、８２１４、８２２２、８２２４、８２３２、８２３４、９２１２、９２１４、９２２２、９２２４、９２３２、９２３４に該当する。そのような場合の一部では、ネットワークノード１１０はさらなる対策を取って、そのような割り当てられない無線リソース単位の割り当てを防止し、第１のワイヤレスデバイス１２１または第２のワイヤレスデバイス１２２からの送信の干渉を回避または低減することができる。
【００９１】
ＵＬ無線リソース７２２１〜７２３４、８２１１〜８２３４、９２１１〜９２３４の数が２よりも多く、いくつかのＵＬ無線リソース単位、７２２２、７２２４、７２３２、７２３４、８２１２、８２１４、８２２２、８２２４、８２３２、８２３４、９２１２、９２１４、９２２２、９２２４、９２３２、９２３４が第１のワイヤレスデバイス１２１および第２のワイヤレスデバイス１２２のどちらにも割り当てられない場合には、この方法はさらに、割り当てられない各ＵＬ無線リソース単位、７２２２、７２２４、７２３２、７２３４、８２１２、８２１４、８２２２、８２２４、８２３２、８２３４、９２１２、９２１４、９２２２、９２２４、９２３２、９２３４の割り当てを禁止することを含むことができる。すなわち、実施形態によっては、ネットワークノード１１０は、第１のワイヤレスデバイス１２１および第２のワイヤレスデバイス１２２のどちらにも割り当てられないＵＬ無線リソース単位、すなわちＵＬ無線リソース単位７２２２、７２２４、７２３２、７２３４、８２１２、８２１４、８２２２、８２２４、８２３２、８２３４、９２１２、９２１４、９２２２、９２２４、９２３２、９２３４を予備の状態にしておくことにより、それらのＵＬ無線リソース単位がどちらのデバイスにも割り当てられないようにして干渉を低減することができる。
【００９２】
実施形態によっては、ネットワークノード１１０は、偶数個のＵＬ無線リソース単位７２２２、７２２４、７２３２、７２３４、８２１２、８２１４、８２２２、８２２４、８２３２、８２３４、９２１２、９２１４、９２２２、９２２４、９２３２、９２３４の前半および後半各々にあるすべての割り当てられない無線リソース単位の割り当てを禁止することもできる。他の実施形態では、ネットワークノード１１０は、第３のＵＬ無線リソース単位６２３３の割り当てを禁止することができる。そのような禁止されたＵＬ無線リソース単位を図６〜図９では「予備」と示す。
【００９３】
実施形態によっては、この工程２０５は行われない場合もある。
【００９４】
工程２０５
ネットワークノード１１０が追加的なＵＬ無線リソース単位４２２をＤ２Ｄペア１２１、１２２に割り当てることができる上記の実施形態では、追加的なＵＬ無線リソース単位４２２が１つの追加的なＤＬ無線リソース単位４１２に割り当てられるように設定することができるが、ネットワークノード１１０は、追加的なＤＬ無線リソース単位４１２の割り当てを禁止してもよい。これを行うことにより、第３のワイヤレスデバイス１２３などの別のワイヤレスデバイスに追加的なＤＬ無線リソース単位４１２が割り当てられて、追加的な無線リソース単位４２２が割り当てられた第２のワイヤレスデバイス１２２の送信との衝突を生じさせることを防ぐことができる。任意のワイヤレスデバイスに割り当てるために選択できるＤＬ無線リソース単位は複数個ある可能性がある。どのＤＬ無線リソース単位を割り当て、どのＤＬ無線リソース単位を割り当てないかの決定は完全にネットワークノード１１０に委ねられるので、ネットワークノード１１０は、ワイヤレスデバイス１２３などの第３のワイヤレスデバイスまたは別のＤ２Ｄデバイスへの割り当てが禁止されているＤＬリソース単位を除いて、利用可能なＤＬリソース単位のセットにあるＤＬリソース単位を使用することができる。すなわち、ネットワークノード１１０は、追加的なＤＬ無線リソース単位４１２が第３のワイヤレスデバイス１２３などの別のワイヤレスデバイス、または別のＤ２Ｄデバイスに割り当てられないことを保証することができ、すなわち、ネットワークノード１１０はその追加的なＤＬ無線リソース単位４１２を未使用状態にしておくことができる。
【００９５】
工程２０６
ＵＬ無線リソース３２０、４２０、５２０、６２０、７２０、８２０、９２０がＰＵＣＣＨのためのリソースからなる特定の実施形態では、ＰＵＣＣＨはＤ２Ｄデバイス１２１、１２２の一方に送信されたシグナリングに応答するＮＡＣＫを含む場合には、ネットワークノード１００は、ＮＡＣＫを送信してきたデバイスにそのシグナリングを再送信する必要がありうる。Ｄ２Ｄペアのデバイス１２１、１２２の両方がＮＡＣＫを送信する実施形態では、ネットワークノード１１０は、Ｄ２Ｄ−ＲＮＴＩなどの共通の識別子を使用することによりシグナリングを再送信することができる。対して、Ｄ２Ｄペアの２つのデバイス１２１、１２２の一方のみがＮＡＣＫを送信する実施形態では、ネットワークノード１１０は、Ｄ２ＤペアのうちＮＡＣＫを送信してきたデバイスに対応する個別の識別子を使用し、そのため、Ｄ２ＤペアのうちＮＡＣＫを送信してきたデバイスだけに再送信が送られる。したがって、この工程２０６では、ネットワークノード１１０は、第１のワイヤレスデバイス１２１および第２のワイヤレスデバイス１２２のうちＮＡＣＫを送信してきたデバイスに個別のセルラー識別子を割り振ることができる。
【００９６】
一部の特定の実施形態では、この個別の識別子にはＣ−ＲＮＴＩを使用することができる。
【００９７】
他の一部の実施形態では、この個別の識別子には、Ｄ２Ｄペアのメンバ１２１、１２２それぞれの識別を可能にする非セルラー識別子を使用することができる。
【００９８】
工程２０７
ＨＡＲＱは、自動再送要求（ＡＲＱ）と前方誤り訂正（ＦＥＣ）を同時に組み合わせるものである。それにより、チャネル品質に応じて、誤り訂正のオーバーヘッドを動的に調整することができるようになる。ＨＡＲＱを使用することができる場合に、誤りがＦＥＣで訂正された場合は、再送信は要求されなくてよい。誤りが検出されたものの訂正されない場合は、再送信が要求されうる。
【００９９】
したがって、この工程２０７で、ネットワークノード１１０がＤ２Ｄペアのデバイス１２１、１２２の少なくとも一方からＮＡＣＫを受信した場合、ネットワークノード１１０は、割り振られた個別のセルラー識別子に基づいて、第１のワイヤレスデバイス１２１および第２のワイヤレスデバイス１２２のうちＮＡＣＫを送信してきた方にシグナリングを再送信することができる。ネットワークノード１１０は、例えばセルラーＲＮＴＩ（Ｃ−ＲＮＴＩ）などの個別のワイヤレスデバイス識別子でスクランブルがかけられたＰＤＣＣＨシグナリングを、第１のワイヤレスデバイス１２１および第２のワイヤレスデバイス１２２の一方に再送信することができる。その場合、Ｄ２Ｄペア１２１、１２２のうち一方のワイヤレスデバイスだけがＡＣＫ／ＮＡＣＫをフィードバックすればよいため、ＰＵＣＣＨリソースの干渉は生じないであろう。
【０１００】
図１０に例示するような一部の特定の実施形態では、ＡＣＫ／ＮＡＣＫのフィードバックの場合などに、Ｄ２Ｄの制御シグナリングを管理する他の方法を使用して、Ｄ２Ｄデバイス１２１、１２２のペアの各個々のデバイスからのＵＬ送信による干渉の課題を回避することができる。そのような実施形態では、Ｄ２Ｄペアのデバイス１２１、１２２それぞれに、２つの異なるＤＣＩなどの２つの独立したＤＬ制御シグナリングメッセージを使用することができる。これは、例えば、図１０に示すように、２つのデバイス１２１、１２３の２つのＣ−ＲＮＴＩを使用することによって行うことができる。図１０に示すように、この実施形態によると、ＤＬ無線リソース１０１０のうち、ＤＬ無線リソース単位１０１１は、ここではＣ−ＲＮＴＩ１のＤＣＩとして示される第１のワイヤレスデバイス１２１のＤＬ制御シグナリングメッセージに割り当てることができる。ＤＬ無線リソース単位１０１２は、ここではＣ−ＲＮＴＩ２のＤＣＩとして示される第２のワイヤレスデバイス１２２のＤＬ制御シグナリングメッセージに割り当てることができる。ＵＬ無線リソース１０２０のうち、ＵＬ無線リソース単位１０２１は、第１のワイヤレスデバイス１２１、すなわちＵＥ１に割り当てることができる。ＵＬ無線リソース単位１０２２は第２のワイヤレスデバイス１２２、すなわちＵＥ２に割り当てることができる。ただし、そのような実施形態では、ＤＬ無線リソースは重複する可能性があるため、前の実施形態のようにはＤＬ無線リソースが節減されない可能性がある。
【０１０１】
図２〜図１０に関連して説明した、第１のワイヤレスデバイス１２１および第２のワイヤレスデバイス１２２を含むＤ２Ｄデバイス１２１、１２２のペアにＵＬ無線リソース４２０、６２０を割り当てる方法の工程をネットワークノード１１０で行うために、ネットワークノード１１０は、図１１に示す以下の機構を備える。上述したように、ネットワークノード１１０およびＤ２Ｄペア１２１、１２２はワイヤレス通信ネットワーク１００内に含まれる。
【０１０２】
ネットワークノード１１０は、Ｄ２Ｄデバイス１２１、１２２のペアに対して共通のＤＬ制御シグナリングメッセージを割り振るように設定された割り振り回路１１０１と、割り当て回路１１０２とを備える。割り当て回路１１０２は、第１のワイヤレスデバイス１２１に割り当てられるＵＬ無線リソース３２１、４２１、５２１、６２２１、６２３１、７２１１、７２２１、７２３１、８２１１、８２２１、８２３１、９２１１、９２２１、９２３１が、第２のワイヤレスデバイス１２２に割り当てられるＵＬ無線リソース３２２、４２２、５２２、６２２２、６２３２、７２１２、７２２３、７２３３、８２１３、８２２３、８２３３、９２１３、９２２３、９２３３から隔てられるように、第１のワイヤレスデバイス１２１に割り当てられたＵＬ無線リソースと、第２のワイヤレスデバイス１２２に割り当てられたＵＬ無線リソースとの間に、時間オフセット、周波数オフセット、および符号分割多重オフセットの１つまたは複数を適用することにより、第１のワイヤレスデバイス１２１および第２のワイヤレスデバイス１２２にＵＬ無線リソース３２０、４２０、５２０、６２０、７２０、８２０、９２０を割り当てるように設定されている。ＵＬ無線リソース３２０、４２０、５２０、６２０、７２０、８２０、９２０の割り当ては共通のＤＬ制御シグナリングメッセージに基づく。
【０１０３】
実施形態によっては、割り振り回路（１１０１）はさらに、Ｄ２Ｄデバイスのペア（１２１、１２２）に対して共通のＤＬ識別子を割り振るように設定することができる。
【０１０４】
実施形態によっては、ワイヤレス通信ネットワーク１００は、ＤＬ無線リソース３１０、４１０、５１０、６１０、７１０、８１０、９１０を備えてよい。ＤＬ無線リソース３１０、４１０、５１０、６１０、７１０、８１０、９１０は、いくつかのＤＬ無線リソース単位３１１、３１２、４１１、４１２、５１１、５１２、６１１、７１１、７１２、８１１〜８１４、９１１〜９１８を含んでよい。ＵＬ無線リソース３２０、４２０、５２０、６２０、７２０、８２０、９２０は、いくつかのＵＬ無線リソース単位３２１、３２２、４２１、４２２、５２１〜５２４、６２１１、６２２１、６２２２、６２３１〜６２３３、７２１１、７２１２、７２２１〜７２２４、７２３１〜７２３４、３５８２１１〜８２１４、８２２１〜８２２４、８２３１〜８２３４、９２１１〜９２１４、９２２１〜９２２４、９２３１〜９２３４を含んでよい。ネットワークノード１１０はさらに、共通のＤＬ制御シグナリングメッセージについて、ＤＬ無線リソース３１０、４１０、５１０、６１０、７１０、８１０、９１０をＤ２Ｄデバイス１２１、１２２に割り当てるように設定された割り当て回路１１０２を備えてよく、ＵＬ無線リソース３２０、４２０、５２０、６２０、７２０、８２０、９２０の割り当ては、ＤＬ無線リソース３１０、４１０、５１０、６１０、５７１０、８１０、９１０の割り当てに基づくことができる。
【０１０５】
実施形態によっては、時間オフセット、周波数オフセット、および符号分割多重オフセットの１つまたは複数を第１のＤＬチャネルリソースに基づくオフセットとすることができ、ＤＬ無線リソース３１０、７１０、８１０、９１０をＤ２Ｄデバイス１２１、１２２に割り当てることは、共通のＤＬ制御シグナリングメッセージに関連付けられた偶数個のＤＬ無線リソース単位３１１、３１２、７１１、７１２、８１１〜８１４、９１１〜９１８を割り当てることを含むことができ、偶数個のＤＬ無線リソース単位３１１、３１２、７１１、７１２、８１１〜８１４、９１１〜９１８には、共通のＤＬ制御シグナリングメッセージに関連付けられた偶数個のＵＬ無線リソース単位３２１、３２２、７２１１、７２１２、７２２１〜７２２４、７２３１〜７２３４、８２１１〜８２１４、８２２１〜８２２４、８２３１〜８２３４、９２１１〜９２１４、９２２１〜９２２４、９２３１〜９２３４が割り当てられるように設定することができ、第１のＤＬチャネルリソースに基づくオフセットを適用することによってＵＬ無線リソース３２０、７２０、８２０、９２０を割り当てることはさらに、偶数個のＵＬ無線リソース単位の前半にある１つのＵＬ無線リソース単位３２１、７２１１、７２２１、７２３１、８２１１、８２２１、８２３１、９２１１、９２２１、９２３１を第１のワイヤレスデバイス１２１に割り当て、偶数個のＵＬ無線リソース単位の後半にある１つのＵＬ無線リソース単位３２２、７２１２、７２２３、７２３３、８２１３、８２２３、８２３３、９２１３、９２２３、９２３３を第２のワイヤレスデバイス１２２に割り当てることを含んでよい。ネットワークノード１１０はさらに禁止回路１１０３を含んでよく、禁止回路１１０３は、ＵＬ無線リソース７２２１〜７２３４、８２１１〜８２３４、９２１１〜９２３４の数が２より多く、いくつかのＵＬ無線リソース単位７２２２、７２２４、７２３２、７２３４、８２１２、８２１４、８２２２、８２２４、８２３２、８２３４、９２１２、９２１４、９２２２、９２２４、９２３２、９２３４が第１のワイヤレスデバイス１２１および第２のワイヤレスデバイス１２２のどちらにも割り当てられない場合に、偶数個のＵＬ無線リソース単位の前半および後半各々にある各割り当てられないＵＬ無線リソース単位７２２２、７２２４、７２３２、７２３４、８２１２、８２１４、８２２２、８２２４、８２３２、８２３４、９２１２、９２１４、９２２２、９２２４、９２３２、９２３４の割り当てを禁止するように設定されている。
【０１０６】
実施形態によっては、第１のＤＬチャネルリソースに基づくオフセットを適用することによってＵＬ無線リソース７２０、８２０、９２０を割り当てることはさらに、第１のワイヤレスデバイス１２１と第２のワイヤレスデバイス１２２とが、偶数個のＵＬ無線リソース単位７２２２、７２２４、７２３２、７２３４、８２１２、８２１４、８２２２、８２２４、８２３２、８２３４、９２１２、９２１４、９２２２、９２２４、９２３２、９２３４の前半にあるすべての割り当てられないＵＬ無線リソース単位によって隔てられるように、第１のワイヤレスデバイス１２１および第２のワイヤレスデバイス１２２を割り当てることを含んでよい。
【０１０７】
実施形態によっては、偶数個のＤＬ無線リソース単位の数は、２、４、または８の１つとすることができる。
【０１０８】
他の一部の実施形態では、割り当て回路１１０２はさらに、ＵＬ無線リソース単位４２１、４２２の一方をＤＬ無線リソース単位４１１、４１２各々に割り当てるように設定することができ、時間オフセット、周波数オフセット、および符号分割多重オフセットの１つまたは複数を第２のＤＬチャネルリソースに基づくオフセットとすることができ、Ｄ２Ｄデバイス１２１、１２２にＤＬ無線リソース４１０を割り当てることは、共通のＤＬ制御シグナリングメッセージに関連付けられた１つのＤＬ無線リソース単位４１１を割り当てることを含むことができ、その１つのＤＬ無線リソース単位４１１には、共通のＤＬ制御シグナリングメッセージに関連付けられた１つのＵＬ無線リソース単位４２１が割り当てられるように設定することができ、第２のＤＬチャネルリソースに基づくオフセットを適用することによってＵＬ無線リソース４２０を割り当てることはさらに、１つの追加的なＵＬ無線リソース単位４２２をＤ２Ｄペア１２１、１２２に割り当てることを含むことができ、１つの追加的なＵＬ無線リソース単位４２２は１つの追加的なＤＬ無線リソース単位４１２に割り当てられるように設定することができ、ＵＬ無線リソース４２０を割り当てる２０３ことはさらに、１つのＵＬ無線リソース単位４２１を第１のワイヤレスデバイス１２１に割り当て、１つの追加的なＵＬ無線リソース単位４２２を第２のワイヤレスデバイス１２２に割り当てることを含むことができ、ネットワークノード１１０はさらに、追加的なＤＬ無線リソース単位４１２の割り当てを禁止するように設定された禁止回路１１０３を備えることができる。
【０１０９】
実施形態によっては、第１および第２のＤＬチャネルリソースに基づくオフセットの少なくとも一方を物理ダウンリンク制御チャネル（ＰＤＣＣＨ）の制御チャネルエレメント（ＣＣＥ）に基づくオフセットとすることができる。
【０１１０】
実施形態によっては、割り当て回路１１０２はさらに、ＤＬ無線リソース単位５１１、５１２、６１１の各々に２つのＵＬ無線リソース単位５２１、５２２、５２３、５２４、６２２１、６２２２を割り当てるように設定することができ、時間オフセット、周波数オフセット、および符号分割多重オフセットの１つまたは複数を第１のＵＬチャネルシフトに基づくオフセットとすることができ、ＤＬ無線リソース５１０、６１０を割り当てることは、共通のＤＬ制御シグナリングメッセージに関連付けられた１つのＤＬ無線リソース単位５１１、６１１をＤ２Ｄペア１２１、１２２に割り当てることを含むことができ、第１のＵＬチャネルシフトに基づくオフセットを適用することによってＵＬ無線リソース５２０、６２０を割り当てることはさらに、第１のＵＬ無線リソース単位５２１、６２２１を第１のワイヤレスデバイス１２１に割り当て、第２のＵＬ無線リソース単位５２２、６２２２を第２のワイヤレスデバイス１２２に割り当てることを含むことができる。
【０１１１】
実施形態によっては、割り当て回路１１０２はさらに、ＤＬ無線リソース単位６１１の各々に３つのＵＬ無線リソース単位６２３１〜６２３３を割り当てるように設定することができ、時間オフセット、周波数オフセット、および符号分割多重オフセットの１つまたは複数を第２のＵＬチャネルシフトに基づくオフセットとすることができ、ＤＬ無線リソース６１０を割り当てることは、共通のＤＬ制御シグナリングメッセージに関連付けられた１つのＤＬ無線リソース単位６１１をＤ２Ｄペア１２１、１２２に割り当てることを含むことができ、第２のＵＬチャネルシフトに基づくオフセットを適用することによってＵＬ無線リソース６２０を割り当てることはさらに、第１のＵＬ無線リソース単位６２３１を第１のワイヤレスデバイス１２１に割り当て、第２のＵＬ無線リソース単位６２３２を第２のワイヤレスデバイス１２２に割り当てることを含むことができ、禁止回路１１０３はさらに、第３のＵＬ無線リソース単位６２３３の割り当てを禁止するように設定することができる。
【０１１２】
実施形態によっては、第１および第２のＵＬチャネルシフトに基づくオフセットの少なくとも一方をデルタ物理アップリンク制御チャネル（ＰＵＣＣＨ）シフトに基づくオフセットとすることができる。
【０１１３】
実施形態によっては、ＵＬ無線リソース３２０、４２０、５２０、６２０、７２０、８２０、９２０は２つの別個のリソースｘおよびｙを含むことができ、ＵＬ無線リソース（３２０、４２０、５２０、６２０、７２０、８２０、９２０）を割り当てることは、暗黙的な方式または個別のシグナリングに従ってリソースｘおよびリソースｙを割り当てることを含むことができ、暗黙的な方式は、ＵＬ無線リソースの割り当てが行われる時に、第２のワイヤレスデバイス１２２から第１のワイヤレスデバイス１２１を区別する特徴に基づくことができる。
【０１１４】
実施形態によっては、ＵＬ無線リソース３２０、４２０、５２０、６２０、７２０、８２０、９２０は、肯定応答／否定応答（ＡＣＫ／ＮＡＣＫ）のフィードバックを含むことができる。
【０１１５】
実施形態によっては、ＵＬ無線リソース３２０、４２０、５２０、６２０、７２０、８２０、９２０は、ＰＵＣＣＨのリソースを含むことができ、ＰＵＣＣＨは、Ｄ２Ｄデバイス１２１、１２２の一方に送信されたシグナリングに応答したＮＡＣＫを含むことができ、ネットワークノード１１０はさらに、第１のワイヤレスデバイス１２１および第２のワイヤレスデバイス１２２のうちＮＡＣＫを送信してきたワイヤレスデバイスに個別のセルラー識別子を割り振るように設定された割り振り回路１１０１と、第１のワイヤレスデバイス１２１および第２のワイヤレスデバイス１２２のうちＮＡＣＫを送信してきたワイヤレスデバイスにシグナリングを再送信するように設定された再送信回路１１０４とを備えることができる。
【０１１６】
実施形態によっては、ＤＬ無線リソース単位は制御チャネルエレメントであり、ＵＬ無線リソース単位はリソースブロックとすることができる。
【０１１７】
さらに他の一部の実施形態では、ネットワークノード１１０は、例えば第１のワイヤレスデバイス１２１、第２のワイヤレスデバイス１２２、および第３のワイヤレスデバイス１２３からシグナリングを受信するように設定された受信回路１１０５を備えることができる。そのようなシグナリングの一例はＡＣＫ／ＮＡＣＫの応答である。
【０１１８】
実施形態によっては、割り振り回路１１０１、割り当て回路１１０２、禁止回路１１０３、再送信回路１１０４、および受信回路１１０５の少なくとも１つがスケジューラ内に含まれうる。このスケジューラは、第３のワイヤレスデバイス１２３などのデバイスのセルラー通信、ならびに第１のワイヤレスデバイス１２１および第２のワイヤレスデバイス１２２などのデバイスのＤ２Ｄ通信を管理することができる。スケジューラは、デバイスが直接のＤ２Ｄ通信で通信する可能性があるかどうか、どのデバイスにその可能性があるか、およびいつその可能性があるかを判定する。スケジューラは、２つのデバイス間のデバイス同士の近接度の判定、および／またはＤ２Ｄリンクの推定に使用されるディスカバリ信号を使えるように設定することができる。スケジューラは、Ｄ２Ｄディスカバリ信号および／またはＤ２Ｄデータチャネルおよび／またはＤ２Ｄ制御チャネルのためのリソースを割り振ることもできる。スケジューラは、少なくとも２つのデバイスの間で情報を中継し、Ｄ２Ｄリンクの少なくとも２つのデバイスについての接続パラメータを設定することができ、接続パラメータには、例えば実際の電力、最小電力などの電力設定、最大電力、符号化および変調方式、例えばトランスポートブロックサイズなどのセグメント分割の設定、暗号化／完全性保護のためのパラメータおよび／またはセキュリティ鍵、ならびに、どの無線アクセス技術のスペクトル／キャリアをＤ２Ｄリンクに使用するかについてのプロトコルパラメータ等がある。通例、スケジューラはネットワークノード１１０と同じ場所に配置される。スケジューラと同じ場所に配置されるネットワークノードは、実施形態によっては、基地局、固定された中継ノード（図には示さず）、モバイル中継ノード（図には示さず）、第１のワイヤレスデバイス１２１、第２のワイヤレスデバイス１２２、第３のワイヤレスデバイス１２３、または、第１のワイヤレスデバイス１２１、第２のワイヤレスデバイス１２２、および第３のワイヤレスデバイス１２３以外のワイヤレスデバイスである。スケジューラは、それぞれのスケジューラリンクを介して、第１のワイヤレスデバイス１２１、第２のワイヤレスデバイス１２２、および第３のワイヤレスデバイス１２３などのデバイスと通信することができる。スケジューラは、他のＤ２Ｄスケジューラリンクを介して他のデバイスと通信する場合もある。
【０１１９】
Ｄ２Ｄ通信を処理するための本発明の実施形態は、本発明の実施形態の機能および工程を行うためのコンピュータプログラムコードと共に、図１１に示すネットワークノード１１０の処理回路１１０６などの１つまたは複数のプロセッサを通じて実施することができる。上記のプログラムコードは、例えば、ネットワークノード１１０にロードされた時に本発明の実施形態を行うコンピュータプログラムコードを担持したデータ搬送体の形態のコンピュータプログラム製品として提供することもできる。そのような搬送体の１つは、ＣＤ  ＲＯＭディスクの形態とすることができる。ただし、メモリスティックなどの他のデータ搬送体でも実現可能である可能性がある。コンピュータプログラムコードはさらに、サーバ上に純粋なプログラムコードとして提供されて、ネットワークノード１１０にダウンロードされてもよい。
【０１２０】
ネットワークノード１１０はさらに、１つまたは複数のメモリ装置を含むメモリ回路１１０７を備えることができる。メモリ回路１１０７は、Ｄ２Ｄペア１２１、１２２からのシグナリングに関連して処理回路１１０６で受信される情報や、ネットワークノード１１０で実行されると本発明の方法を行うアプリケーションなどのデータを記憶するために使用されるようになすことができる。メモリ回路１１０７は処理回路１１０６と通信可能状態にあることができる。処理回路１１０６で処理される他の情報もメモリ回路１１０７に記憶することができる。
【０１２１】
実施形態によっては、Ｄ２Ｄペア１２１、１２２、または第３のワイヤレスデバイス１２３からのシグナリングが受信ポート１１０８を通じて受信される。受信ポート１１０８は、処理回路１１０６と通信可能状態にあることができる。受信ポート１１０８は、他の情報を受信するように設定することもできる。
【０１２２】
処理回路１１０６はさらに、送信ポート１１０９を通じてＤ２Ｄペア１２１、１２２、または第３のワイヤレスデバイス１２３にシグナリングを送信するように設定することができ、送信ポート１１０９は処理回路１１０６、およびメモリ回路１１０７と通信可能状態にあることができる。
【０１２３】
当業者は、上記の割り振り回路１１０１、割り当て回路１１０２、禁止回路１１０３、再送信回路１６０４、および受信回路１６０５は、アナログおよびデジタル回路、ならびに／または、処理回路１１０６などの１つまたは複数のプロセッサによって実行されると上記のように行うソフトウェアおよび／またはファームウェア（例えばメモリに記憶される）を備えて構成された１つもしくは複数のプロセッサの組合せを指す場合があることも理解されよう。そのようなプロセッサの１つまたは複数ならびに他のデジタルハードウェアを単一の特定用途集積回路（ＡＳＩＣ）に含める、または数個のプロセッサおよび各種のデジタルハードウェアを、個別にパッケージされるかまたは１つのシステムオンチップ（ＳｏＣ）に組み立てられた数個の別個の構成要素に分散させることが可能である。
【０１２４】
単語「ｃｏｍｐｒｉｓｅ（〜を含む）」または「ｃｏｍｐｒｉｓｉｎｇ」を使用する場合は、非制限的、すなわち「少なくとも〜を有する」の意味に解釈されたい。
【０１２５】
本発明の実施形態は上記の好ましい実施形態に限定されない。様々な代替形態、改変形態、および均等形態を使用することができる。したがって、上記実施形態は、添付の特許請求の範囲で定義される本発明の範囲を制限するものとは解釈すべきでない。
【図１】
0006001195.tif 000002
【図２】
0006001195.tif 000003
【図３】
0006001195.tif 000004
【図４】
0006001195.tif 000005
【図５】
0006001195.tif 000006
【図６】
0006001195.tif 000007
【図７】
0006001195.tif 000008
【図８】
0006001195.tif 000009
【図９】
0006001195.tif 000010
【図１０】
0006001195.tif 000011
【図１１】
0006001195.tif 000012